(57)【要約】  上りリソース割当方法、装置、基地局及び端末を提供する。ここで、上りリソース割当方法において、競合に基づくランダムアクセスＣＢＲＡプロセスにおけるメッセージ３のリソース割当情報を決定することを含む。ここで、リソース割当情報は、基地局によって所定規則に基づいて決定されるか、又は基地局によって設定されて端末に通知される。所定規則に基づいてリソース割当情報が決定される場合、基地局と端末に用いられる所定規則は、同じである。【選択図】  図１
2021530913.tif 000002
【特許請求の範囲】
【請求項１】
上りリソース割当方法であって、
競合に基づくランダムアクセスＣＢＲＡプロセスにおけるメッセージ３のリソース割当情報を決定することを含み、
ここで、前記リソース割当情報は、基地局によって所定規則に基づいて決定されるか、又は基地局によって設定されて端末に通知され、
所定規則に基づいてリソース割当情報が決定される場合、前記基地局と前記端末に用いられる所定規則は、同じである、上りリソース割当方法。
【請求項２】
前記の競合に基づくランダムアクセスＣＢＲＡプロセスにおけるメッセージ３のリソース割当情報を決定することは、
初期上り帯域幅部分ｉｎｉｔｉａｌ  ＵＬ  ＢＷＰに従って、前記メッセージ３の伝送用ＢＷＰを決定することを含み、且つ、端末に対して設定した活性化上り帯域幅部分ａｃｔｉｖｅ  ＵＬ  ＢＷＰは、ｉｎｉｔｉａｌ  ＵＬ  ＢＷＰの全体を含む、請求項１に記載の上りリソース割当方法。
【請求項３】
前記の競合に基づくランダムアクセスＣＢＲＡプロセスにおけるメッセージ３のリソース割当情報を決定することは、
初期上り帯域幅部分ｉｎｉｔｉａｌ  ＵＬ  ＢＷＰと活性化帯域幅部分ａｃｔｉｖｅ  ＢＷＰの設定及び物理ランダムアクセスチャネルＰＲＡＣＨリソースの設定に基づいて、前記メッセージ３のスケジューリング及び送信が存在する周波数領域範囲又はＢＷＰを決定することを含む、請求項１に記載の上りリソース割当方法。
【請求項４】
前記の初期上り帯域幅部分ｉｎｉｔｉａｌ  ＵＬ  ＢＷＰと活性化帯域幅部分ａｃｔｉｖｅ  ＢＷＰの設定及び物理ランダムアクセスチャネルＰＲＡＣＨリソースの設定に基づいて、前記メッセージ３のスケジューリング及び送信が存在する周波数領域範囲又はＢＷＰを決定することは、
端末に対して、活性化上り帯域幅部分ａｃｔｉｖｅ  ＵＬ  ＢＷＰ内に設定した物理ランダムアクセスチャネルＰＲＡＣＨリソースと、ｉｎｉｔｉａｌ  ＵＬ  ＢＷＰ内に設定したＰＲＡＣＨリソースとは完全に重なり、且つ端末が、ｉｎｉｔｉａｌ  ＵＬ  ＢＷＰ上に設定されたｐｒｅａｍｂｌｅ群に属するプリアンブルｐｒｅａｍｂｌｅを前記ＰＲＡＣＨリソース上で送信する場合、ｉｎｉｔｉａｌ  ＵＬ  ＢＷＰに基づいて前記メッセージ３をスケジューリングすることを含む、請求項３に記載の上りリソース割当方法。
【請求項５】
端末に対して設定したａｃｔｉｖｅ  ＵＬ  ＢＷＰは、ｉｎｉｔｉａｌ  ＵＬ  ＢＷＰの全体を含む、請求項４に記載の上りリソース割当方法。
【請求項６】
前記の端末に対して設定したａｃｔｉｖｅ  ＵＬ  ＢＷＰが、ｉｎｉｔｉａｌ  ＵＬ  ＢＷＰの全体を含むことは、具体的には、
設定時に、完全に重なるＰＲＡＣＨリソースを有し且つ同じｐｒｅａｍｂｌｅ群の全ての端末に対して設定したａｃｔｉｖｅ  ＵＬ  ＢＷＰは、ｉｎｉｔｉａｌ  ＵＬ  ＢＷＰの全体を含むことである、請求項５に記載の上りリソース割当方法。
【請求項７】
前記の初期上り帯域幅部分ｉｎｉｔｉａｌ  ＵＬ  ＢＷＰと活性化帯域幅部分ａｃｔｉｖｅ  ＢＷＰの設定及び物理ランダムアクセスチャネルＰＲＡＣＨリソースの設定に基づいて、前記メッセージ３のスケジューリング及び送信が存在する周波数領域範囲又はＢＷＰを決定することは、
端末に対して、活性化上り帯域幅部分ａｃｔｉｖｅ  ＵＬ  ＢＷＰ内に設定した物理ランダムアクセスチャネルＰＲＡＣＨリソースと、ｉｎｉｔｉａｌ  ＵＬ  ＢＷＰ内に設定したＰＲＡＣＨリソースとは完全に重なるのではない場合、及び／又は、端末が、ｉｎｉｔｉａｌ  ＵＬ  ＢＷＰ上に設定されたｐｒｅａｍｂｌｅ群に属さないプリアンブルｐｒｅａｍｂｌｅを前記ＰＲＡＣＨリソース上で送信する場合、所定のＢＷＰに従って前記メッセージ３をスケジューリングすることを更に含み、
ここで、前記所定のＢＷＰは、ａｃｔｉｖｅ  ＵＬ  ＢＷＰの最小物理リソースブロックインデックスＰＲＢ  ｉｎｄｅｘから始まり、且つｉｎｉｔｉａｌ  ＵＬ  ＢＷＰと同じ大きさのＢＷＰであり、
又は、前記所定のＢＷＰは、ａｃｔｉｖｅ  ＵＬ  ＢＷＰであり、
又は、前記所定のＢＷＰは、端末がｐｒｅａｍｂｌｅを送信するＰＲＡＣＨリソースの最小ＰＲＢ  ｉｎｄｅｘから始まり、ｉｎｉｔｉａｌ  ＵＬ  ＢＷＰと同じ大きさのＢＷＰであり、
又は、前記所定のＢＷＰは、無線リソース制御シグナリングＲＲＣ  ｓｉｇｎａｌｉｎｇによって指示される特定ＰＲＢ  ｉｎｄｅｘを起点として、ｉｎｉｔｉａｌ  ＵＬ  ＢＷＰと同じ大きさのＢＷＰであり、又は、前記メッセージ３の基地局によるスケジューリング及び前記メッセージ３の端末による送信のためにＲＲＣ  ｓｉｇｎａｌｉｎｇによって指示されるＵＬ  ＢＷＰであり、前記ＢＷＰは、ａｃｔｉｖｅ  ＵＬ  ＢＷＰ内に完全に含まれる、請求項３に記載の上りリソース割当方法。
【請求項８】
端末に対して設定したａｃｔｉｖｅ  ＵＬ  ＢＷＰは、ｉｎｉｔｉａｌ  ＵＬ  ＢＷＰの全体を含むのではない、請求項７に記載の上りリソース割当方法。
【請求項９】
前記の競合に基づくランダムアクセスＣＢＲＡプロセスにおけるメッセージ３のリソース割当情報を決定することは、
前記メッセージ３のスケジューリング及び送信が存在する周波数領域範囲又は帯域幅部分ＢＷＰを、無線リソース制御シグナリングＲＲＣ  ｓｉｇｎａｌｉｎｇによって端末に通知することを含む、請求項１に記載の上りリソース割当方法。
【請求項１０】
物理ランダムアクセスチャネルＰＲＡＣＨリソースの設定及び対応する前記メッセージ３の送信が存在する周波数領域範囲又はＢＷＰの設定を端末に対して行うことを更に含む、請求項９に記載の上りリソース割当方法。
【請求項１１】
前記周波数領域範囲又はＢＷＰは、端末の活性化上り帯域幅部分ａｃｔｉｖｅ  ＵＬ  ＢＷＰに含まれる、請求項１０に記載の上りリソース割当方法。
【請求項１２】
異なる端末のために設定する同じＰＲＡＣＨリソースに対して、前記周波数領域範囲又はＢＷＰは、キャリアｃａｒｒｉｅｒ内の位置が同じである、請求項１０又は１１に記載の上りリソース割当方法。
【請求項１３】
前記の競合に基づくランダムアクセスＣＢＲＡプロセスにおけるメッセージ３のリソース割当情報を決定することは、
前記メッセージ３をスケジューリングする際に、所定の周波数領域範囲又は帯域幅部分ＢＷＰに従ってスケジューリングすることを含み、
ここで、前記所定の周波数領域範囲又はＢＷＰの大きさは、明示的シグナリングによって通知されるか、又はプロトコルで予め定義される方式で決められ、
及び／又は、
前記所定の周波数領域範囲又はＢＷＰの開始リソースブロックインデックスＲＢ  ｉｎｄｅｘは、対応するプリアンブルｐｒｅａｍｂｌｅを送信する物理ランダムアクセスチャネルＰＲＡＣＨリソースの最小ＲＢ番号と同一であり、
ここで、前記所定の周波数領域範囲又はＢＷＰは、完全に端末の活性化上り帯域幅部分ａｃｔｉｖｅ  ＵＬ  ＢＷＰ内に位置する、請求項１に記載の上りリソース割当方法。
【請求項１４】
前記所定の周波数領域範囲又はＢＷＰの開始リソースブロックインデックスＲＢ  ｉｎｄｅｘが、対応するプリアンブルｐｒｅａｍｂｌｅを送信する物理ランダムアクセスチャネルＰＲＡＣＨリソースの最小ＲＢ番号と同一である場合、
ｐｒｅａｍｂｌｅは、基地局による受信に成功し、且つ、対応する応答をランダムアクセス応答ＲＡＲで行うように基地局に指示するｐｒｅａｍｂｌｅである、請求項１３に記載の上りリソース割当方法。
【請求項１５】
前記所定の周波数領域範囲又はＢＷＰの大きさが、明示的シグナリングによって通知されるか、又はプロトコルで予め定義される方式で決められる場合、
前記周波数領域範囲又はＢＷＰの大きさは、無線リソース制御シグナリングＲＲＣ  ｓｉｇｎａｌｉｎｇで通知され、又は、
前記周波数領域範囲又はＢＷＰの大きさは、初期上り帯域幅部分ｉｎｉｔｉａｌ  ＵＬ  ＢＷＰと同じであり、又は、
前記周波数領域範囲又はＢＷＰの大きさは、他の予め定められた値である、請求項１３に記載の上りリソース割当方法。
【請求項１６】
上りリソース割当方法であって、
競合に基づくランダムアクセスＣＢＲＡプロセスにおけるメッセージ３のリソース割当情報を決定することを含み、
ここで、前記リソース割当情報は、端末によって所定規則に基づいて決定されるか、又は基地局によって設定されて通知され、
所定規則に基づいてリソース割当情報が決定される場合、前記基地局と前記端末に用いられる所定規則は、同じである、上りリソース割当方法。
【請求項１７】
前記の競合に基づくランダムアクセスＣＢＲＡプロセスにおけるメッセージ３のリソース割当情報を決定することは、
初期上り帯域幅部分ｉｎｉｔｉａｌ  ＵＬ  ＢＷＰ内で、ランダムアクセス応答ＲＡＲに運ばれる上りスケジューリンググラントＵＬ  ｇｒａｎｔ情報に基づいて前記メッセージ３を伝送することを含む、請求項１６に記載の上りリソース割当方法。
【請求項１８】
前記の競合に基づくランダムアクセスＣＢＲＡプロセスにおけるメッセージ３のリソース割当情報を決定することは、
初期上り帯域幅部分ｉｎｉｔｉａｌ  ＵＬ  ＢＷＰと活性化帯域幅部分ａｃｔｉｖｅ  ＢＷＰの設定及び物理ランダムアクセスチャネルＰＲＡＣＨリソースの設定に基づいて、前記メッセージ３のスケジューリング及び送信が存在する周波数領域範囲又はＢＷＰを決定することを含む、請求項１６に記載の上りリソース割当方法。
【請求項１９】
前記の初期上り帯域幅部分ｉｎｉｔｉａｌ  ＵＬ  ＢＷＰと活性化帯域幅部分ａｃｔｉｖｅ  ＢＷＰの設定及び物理ランダムアクセスチャネルＰＲＡＣＨリソースの設定に基づいて、前記メッセージ３のスケジューリング及び送信が存在する周波数領域範囲又はＢＷＰを決定することは、
基地局から端末に対して、活性化上り帯域幅部分ａｃｔｉｖｅ  ＵＬ  ＢＷＰ内に設定した物理ランダムアクセスチャネルＰＲＡＣＨリソースと、ｉｎｉｔｉａｌ  ＵＬ  ＢＷＰ内に設定したＰＲＡＣＨリソースとは完全に重なり、且つ端末が、ｉｎｉｔｉａｌ  ＵＬ  ＢＷＰ上に設定されたｐｒｅａｍｂｌｅ群に属するプリアンブルｐｒｅａｍｂｌｅを前記ＰＲＡＣＨリソース上で送信する場合、前記基地局から送信された上りスケジューリンググラントＵＬ  ｇｒａｎｔ情報に基づいて、ｉｎｉｔｉａｌ  ＢＷＰ内で対応する前記メッセージ３を送信することを含む、請求項１８に記載の上りリソース割当方法。
【請求項２０】
ａｃｔｉｖｅ  ＵＬ  ＢＷＰは、ｉｎｉｔｉａｌ  ＵＬ  ＢＷＰの全体を含む、請求項１９に記載の上りリソース割当方法。
【請求項２１】
前記の初期上り帯域幅部分ｉｎｉｔｉａｌ  ＵＬ  ＢＷＰと活性化帯域幅部分ａｃｔｉｖｅ  ＢＷＰの設定及び物理ランダムアクセスチャネルＰＲＡＣＨリソースの設定に基づいて、前記メッセージ３のスケジューリング及び送信が存在する周波数領域範囲又はＢＷＰを決定することは、
基地局から端末に対して、活性化上り帯域幅部分ａｃｔｉｖｅ  ＵＬ  ＢＷＰ内に設定した物理ランダムアクセスチャネルＰＲＡＣＨリソースと、ｉｎｉｔｉａｌ  ＵＬ  ＢＷＰ内に設定したＰＲＡＣＨリソースとは完全に重なるのではない場合、及び／又は、端末が、ｉｎｉｔｉａｌ  ＵＬ  ＢＷＰ上に設定されたｐｒｅａｍｂｌｅ群に属さないプリアンブルｐｒｅａｍｂｌｅを前記ＰＲＡＣＨリソース上で送信する場合、基地局から送信されたＵＬ  ｇｒａｎｔ情報に基づいて、所定のＢＷＰに従って前記メッセージ３を送信することを更に含み、
ここで、前記所定のＢＷＰは、ａｃｔｉｖｅ  ＵＬ  ＢＷＰの最小物理リソースブロックインデックスＰＲＢ  ｉｎｄｅｘから始まり、且つｉｎｉｔｉａｌ  ＵＬ  ＢＷＰと同じ大きさのＢＷＰであり、
又は、前記所定のＢＷＰは、ａｃｔｉｖｅ  ＵＬ  ＢＷＰであり、
又は、前記所定のＢＷＰは、端末がｐｒｅａｍｂｌｅを送信するＰＲＡＣＨリソースの最小ＰＲＢ  ｉｎｄｅｘから始まり、ｉｎｉｔｉａｌ  ＵＬ  ＢＷＰと同じ大きさのＢＷＰであり、
又は、前記所定のＢＷＰは、無線リソース制御シグナリングＲＲＣ  ｓｉｇｎａｌｉｎｇによって指示される特定ＰＲＢ  ｉｎｄｅｘを起点として、ｉｎｉｔｉａｌ  ＵＬ  ＢＷＰと同じ大きさのＢＷＰであり、又は、前記メッセージ３の基地局によるスケジューリング及び前記メッセージ３の端末による送信のためにＲＲＣ  ｓｉｇｎａｌｉｎｇによって指示されるＵＬ  ＢＷＰであり、前記ＢＷＰは、ａｃｔｉｖｅ  ＵＬ  ＢＷＰ内に完全に含まれる、請求項１８に記載の上りリソース割当方法。
【請求項２２】
基地局から端末に対して設定したａｃｔｉｖｅ  ＵＬ  ＢＷＰは、ｉｎｉｔｉａｌ  ＵＬ  ＢＷＰの全体を含むのではない、請求項２１に記載の上りリソース割当方法。
【請求項２３】
前記の競合に基づくランダムアクセスＣＢＲＡプロセスにおけるメッセージ３のリソース割当情報を決定することは、
前記メッセージ３のスケジューリング及び送信が存在する周波数領域範囲又は帯域幅部分ＢＷＰを、無線リソース制御シグナリングＲＲＣ  ｓｉｇｎａｌｉｎｇによって決定することを含む、請求項１６に記載の上りリソース割当方法。
【請求項２４】
前記メッセージ３の送信が存在する周波数領域範囲又はＢＷＰは、基地局から端末に対して物理ランダムアクセスチャネルＰＲＡＣＨリソースを設定する際に対応的に設定される、請求項２３に記載の上りリソース割当方法。
【請求項２５】
前記周波数領域範囲又はＢＷＰは、端末の活性化上り帯域幅部分ａｃｔｉｖｅ  ＵＬ  ＢＷＰに含まれる、請求項２４に記載の上りリソース割当方法。
【請求項２６】
前記の競合に基づくランダムアクセスＣＢＲＡプロセスにおけるメッセージ３のリソース割当情報を決定することは、
所定の周波数領域範囲又は帯域幅部分ＢＷＰ内で、基地局のスケジューリングに従って前記メッセージ３を送信することを含み、
ここで、前記所定の周波数領域範囲又はＢＷＰの大きさは、明示的シグナリングによって通知されるか、又はプロトコルで予め定義される方式で決められ、
及び／又は、
前記所定の周波数領域範囲又はＢＷＰの開始リソースブロックインデックスＲＢ  ｉｎｄｅｘは、対応するプリアンブルｐｒｅａｍｂｌｅを送信する物理ランダムアクセスチャネルＰＲＡＣＨリソースの最小ＲＢ番号と同一であり、
ここで、前記所定の周波数領域範囲又はＢＷＰは、完全に端末の活性化上り帯域幅部分ａｃｔｉｖｅ  ＵＬ  ＢＷＰ内に位置する、請求項１６に記載の上りリソース割当方法。
【請求項２７】
前記所定の周波数領域範囲又はＢＷＰの開始リソースブロックインデックスＲＢ  ｉｎｄｅｘが、対応するプリアンブルｐｒｅａｍｂｌｅを送信する物理ランダムアクセスチャネルＰＲＡＣＨリソースの最小ＲＢ番号と同一である場合、
ｐｒｅａｍｂｌｅは、基地局による受信に成功し、且つ、対応する応答をランダムアクセス応答ＲＡＲで行うように基地局に指示するｐｒｅａｍｂｌｅである、請求項２６に記載の上りリソース割当方法。
【請求項２８】
前記所定の周波数領域範囲又はＢＷＰの大きさが、明示的シグナリングによって通知されるか、又はプロトコルで予め定義される方式で決められる場合、
前記周波数領域範囲又はＢＷＰの大きさは、無線リソース制御シグナリングＲＲＣ  ｓｉｇｎａｌｉｎｇで通知され、又は、
前記周波数領域範囲又はＢＷＰの大きさは、初期上り帯域幅部分ｉｎｉｔｉａｌ  ＵＬ  ＢＷＰと同じであり、又は、
前記周波数領域範囲又はＢＷＰの大きさは、他の予め定められた値である、請求項２６に記載の上りリソース割当方法。
【請求項２９】
メモリと、プロセッサと、トランシーバと、前記メモリに格納されて前記プロセッサで実行可能なコンピュータプログラムを含む基地局であって、
前記プロセッサは、前記プログラムを実行すると、
競合に基づくランダムアクセスＣＢＲＡプロセスにおけるメッセージ３のリソース割当情報を決定することを実現し、
ここで、前記リソース割当情報は、基地局によって所定規則に基づいて決定されるか、又は基地局によって設定されて前記トランシーバを介して端末に通知され、
所定規則に基づいてリソース割当情報が決定される場合、前記基地局と前記端末に用いられる所定規則は、同じである、基地局。
【請求項３０】
前記プロセッサは、具体的には、
初期上り帯域幅部分ｉｎｉｔｉａｌ  ＵＬ  ＢＷＰに従って、前記メッセージ３の伝送用ＢＷＰを決定し、且つ、端末に対して設定した活性化上り帯域幅部分ａｃｔｉｖｅ  ＵＬ  ＢＷＰは、ｉｎｉｔｉａｌ  ＵＬ  ＢＷＰの全体を含む、請求項２９に記載の基地局。
【請求項３１】
前記プロセッサは、具体的には、
初期上り帯域幅部分ｉｎｉｔｉａｌ  ＵＬ  ＢＷＰと活性化帯域幅部分ａｃｔｉｖｅ  ＢＷＰの設定及び物理ランダムアクセスチャネルＰＲＡＣＨリソースの設定に基づいて、前記メッセージ３のスケジューリング及び送信が存在する周波数領域範囲又はＢＷＰを決定する、請求項２９に記載の基地局。
【請求項３２】
前記プロセッサは、具体的には、
端末に対して、活性化上り帯域幅部分ａｃｔｉｖｅ  ＵＬ  ＢＷＰ内に設定した物理ランダムアクセスチャネルＰＲＡＣＨリソースと、ｉｎｉｔｉａｌ  ＵＬ  ＢＷＰ内に設定したＰＲＡＣＨリソースとは完全に重なり、且つ端末が、ｉｎｉｔｉａｌ  ＵＬ  ＢＷＰ上に設定されたｐｒｅａｍｂｌｅ群に属するプリアンブルｐｒｅａｍｂｌｅを前記ＰＲＡＣＨリソース上で送信する場合、ｉｎｉｔｉａｌ  ＵＬ  ＢＷＰに基づいて前記メッセージ３をスケジューリングする、請求項３１に記載の基地局。
【請求項３３】
端末に対して設定したａｃｔｉｖｅ  ＵＬ  ＢＷＰは、ｉｎｉｔｉａｌ  ＵＬ  ＢＷＰの全体を含む、請求項３２に記載の基地局。
【請求項３４】
前記の端末に対して設定したａｃｔｉｖｅ  ＵＬ  ＢＷＰが、ｉｎｉｔｉａｌ  ＵＬ  ＢＷＰの全体を含むことは、具体的には、
設定時に、完全に重なるＰＲＡＣＨリソースを有し且つ同じｐｒｅａｍｂｌｅ群の全ての端末に対して設定したａｃｔｉｖｅ  ＵＬ  ＢＷＰは、ｉｎｉｔｉａｌ  ＵＬ  ＢＷＰの全体を含むことである、請求項３３に記載の基地局。
【請求項３５】
前記プロセッサは、更に、
端末に対して、活性化上り帯域幅部分ａｃｔｉｖｅ  ＵＬ  ＢＷＰ内に設定した物理ランダムアクセスチャネルＰＲＡＣＨリソースと、ｉｎｉｔｉａｌ  ＵＬ  ＢＷＰ内に設定したＰＲＡＣＨリソースとは完全に重なるのではない場合、及び／又は、端末が、ｉｎｉｔｉａｌ  ＵＬ  ＢＷＰ上に設定されたｐｒｅａｍｂｌｅ群に属さないプリアンブルｐｒｅａｍｂｌｅを前記ＰＲＡＣＨリソース上で送信する場合、所定のＢＷＰに従って前記メッセージ３をスケジューリングし、
ここで、前記所定のＢＷＰは、ａｃｔｉｖｅ  ＵＬ  ＢＷＰの最小物理リソースブロックインデックスＰＲＢ  ｉｎｄｅｘから始まり、且つｉｎｉｔｉａｌ  ＵＬ  ＢＷＰと同じ大きさのＢＷＰであり、
又は、前記所定のＢＷＰは、ａｃｔｉｖｅ  ＵＬ  ＢＷＰであり、
又は、前記所定のＢＷＰは、端末がｐｒｅａｍｂｌｅを送信するＰＲＡＣＨリソースの最小ＰＲＢ  ｉｎｄｅｘから始まり、ｉｎｉｔｉａｌ  ＵＬ  ＢＷＰと同じ大きさのＢＷＰであり、
又は、前記所定のＢＷＰは、無線リソース制御シグナリングＲＲＣ  ｓｉｇｎａｌｉｎｇによって指示される特定ＰＲＢ  ｉｎｄｅｘを起点として、ｉｎｉｔｉａｌ  ＵＬ  ＢＷＰと同じ大きさのＢＷＰであり、又は、前記メッセージ３の基地局によるスケジューリング及び前記メッセージ３の端末による送信のためにＲＲＣ  ｓｉｇｎａｌｉｎｇによって指示されるＵＬ  ＢＷＰであり、前記ＢＷＰは、ａｃｔｉｖｅ  ＵＬ  ＢＷＰ内に完全に含まれる、請求項３１に記載の基地局。
【請求項３６】
端末に対して設定したａｃｔｉｖｅ  ＵＬ  ＢＷＰは、ｉｎｉｔｉａｌ  ＵＬ  ＢＷＰの全体を含むのではない、請求項３５に記載の基地局。
【請求項３７】
前記プロセッサは、更に、
前記メッセージ３のスケジューリング及び送信が存在する周波数領域範囲又は帯域幅部分ＢＷＰを、無線リソース制御シグナリングＲＲＣ  ｓｉｇｎａｌｉｎｇによって端末に通知する、請求項２９に記載の基地局。
【請求項３８】
前記プロセッサは、更に、
物理ランダムアクセスチャネルＰＲＡＣＨリソースの設定及び対応する前記メッセージ３の送信が存在する周波数領域範囲又はＢＷＰの設定を端末に対して行う、請求項３７に記載の基地局。
【請求項３９】
前記周波数領域範囲又はＢＷＰは、端末の活性化上り帯域幅部分ａｃｔｉｖｅ  ＵＬ  ＢＷＰに含まれる、請求項３８に記載の基地局。
【請求項４０】
異なる端末のために設定する同じＰＲＡＣＨリソースに対して、前記周波数領域範囲又はＢＷＰは、キャリアｃａｒｒｉｅｒ内の位置が同じである、請求項３８又は３９に記載の基地局。
【請求項４１】
前記プロセッサは、具体的には、
前記メッセージ３をスケジューリングする際に、所定の周波数領域範囲又は帯域幅部分ＢＷＰに従ってスケジューリングし、
ここで、前記所定の周波数領域範囲又はＢＷＰの大きさは、明示的シグナリングによって通知されるか、又はプロトコルで予め定義される方式で決められ、
及び／又は、
前記所定の周波数領域範囲又はＢＷＰの開始リソースブロックインデックスＲＢ  ｉｎｄｅｘは、対応するプリアンブルｐｒｅａｍｂｌｅを送信する物理ランダムアクセスチャネルＰＲＡＣＨリソースの最小ＲＢ番号と同一であり、
ここで、前記所定の周波数領域範囲又はＢＷＰは、完全に端末の活性化上り帯域幅部分ａｃｔｉｖｅ  ＵＬ  ＢＷＰ内に位置する、請求項２９に記載の基地局。
【請求項４２】
前記所定の周波数領域範囲又はＢＷＰの開始リソースブロックインデックスＲＢ  ｉｎｄｅｘが、対応するプリアンブルｐｒｅａｍｂｌｅを送信する物理ランダムアクセスチャネルＰＲＡＣＨリソースの最小ＲＢ番号と同一である場合、
ｐｒｅａｍｂｌｅは、基地局による受信に成功し、且つ、対応する応答をランダムアクセス応答ＲＡＲで行うように基地局に指示するｐｒｅａｍｂｌｅである、請求項４１に記載の基地局。
【請求項４３】
前記所定の周波数領域範囲又はＢＷＰの大きさが、明示的シグナリングによって通知されるか、又はプロトコルで予め定義される方式で決められる場合、
前記周波数領域範囲又はＢＷＰの大きさは、無線リソース制御シグナリングＲＲＣ  ｓｉｇｎａｌｉｎｇで通知され、又は、
前記周波数領域範囲又はＢＷＰの大きさは、初期上り帯域幅部分ｉｎｉｔｉａｌ  ＵＬ  ＢＷＰと同じであり、又は、
前記周波数領域範囲又はＢＷＰの大きさは、他の予め定められた値である、請求項４１に記載の基地局。
【請求項４４】
メモリと、プロセッサと、トランシーバと、前記メモリに格納されて前記プロセッサで実行可能なコンピュータプログラムを含む端末であって、
前記プロセッサは、前記プログラムを実行すると、
競合に基づくランダムアクセスＣＢＲＡプロセスにおけるメッセージ３のリソース割当情報を決定することを実現し、
ここで、前記リソース割当情報は、端末によって所定規則に基づいて決定されるか、又は基地局によって設定されて通知され、
所定規則に基づいてリソース割当情報が決定される場合、前記基地局と前記端末に用いられる所定規則は、同じである、端末。
【請求項４５】
前記プロセッサは、具体的には、
初期上り帯域幅部分ｉｎｉｔｉａｌ  ＵＬ  ＢＷＰ内で、ランダムアクセス応答ＲＡＲに運ばれる上りスケジューリンググラントＵＬ  ｇｒａｎｔ情報に基づいて、前記トランシーバを介して前記メッセージ３を伝送する、請求項４４に記載の端末。
【請求項４６】
前記プロセッサは、具体的には、
初期上り帯域幅部分ｉｎｉｔｉａｌ  ＵＬ  ＢＷＰと活性化帯域幅部分ａｃｔｉｖｅ  ＢＷＰの設定及び物理ランダムアクセスチャネルＰＲＡＣＨリソースの設定に基づいて、前記メッセージ３のスケジューリング及び送信が存在する周波数領域範囲又はＢＷＰを決定する、請求項４４に記載の端末。
【請求項４７】
前記プロセッサは、具体的には、
基地局から端末に対して、活性化上り帯域幅部分ａｃｔｉｖｅ  ＵＬ  ＢＷＰ内に設定した物理ランダムアクセスチャネルＰＲＡＣＨリソースと、ｉｎｉｔｉａｌ  ＵＬ  ＢＷＰ内に設定したＰＲＡＣＨリソースとは完全に重なり、且つ端末が、ｉｎｉｔｉａｌ  ＵＬ  ＢＷＰ上に設定されたｐｒｅａｍｂｌｅ群に属するプリアンブルｐｒｅａｍｂｌｅを前記ＰＲＡＣＨリソース上で送信する場合、前記基地局から送信された上りスケジューリンググラントＵＬ  ｇｒａｎｔ情報に基づいて、ｉｎｉｔｉａｌ  ＢＷＰ内で対応する前記メッセージ３を送信する、請求項４６に記載の端末。
【請求項４８】
ａｃｔｉｖｅ  ＵＬ  ＢＷＰは、ｉｎｉｔｉａｌ  ＵＬ  ＢＷＰの全体を含む、請求項４７に記載の端末。
【請求項４９】
前記プロセッサは、更に、
基地局から端末に対して、活性化上り帯域幅部分ａｃｔｉｖｅ  ＵＬ  ＢＷＰ内に設定した物理ランダムアクセスチャネルＰＲＡＣＨリソースと、ｉｎｉｔｉａｌ  ＵＬ  ＢＷＰ内に設定したＰＲＡＣＨリソースとは完全に重なるのではない場合、及び／又は、端末が、ｉｎｉｔｉａｌ  ＵＬ  ＢＷＰ上に設定されたｐｒｅａｍｂｌｅ群に属さないプリアンブルｐｒｅａｍｂｌｅを前記ＰＲＡＣＨリソース上で送信する場合、基地局から送信されたＵＬ  ｇｒａｎｔ情報に基づいて、所定のＢＷＰに従って前記メッセージ３を送信し、
ここで、前記所定のＢＷＰは、ａｃｔｉｖｅ  ＵＬ  ＢＷＰの最小物理リソースブロックインデックスＰＲＢ  ｉｎｄｅｘから始まり、且つｉｎｉｔｉａｌ  ＵＬ  ＢＷＰと同じ大きさのＢＷＰであり、
又は、前記所定のＢＷＰは、ａｃｔｉｖｅ  ＵＬ  ＢＷＰであり、
又は、前記所定のＢＷＰは、端末がｐｒｅａｍｂｌｅを送信するＰＲＡＣＨリソースの最小ＰＲＢ  ｉｎｄｅｘから始まり、ｉｎｉｔｉａｌ  ＵＬ  ＢＷＰと同じ大きさのＢＷＰであり、
又は、前記所定のＢＷＰは、無線リソース制御シグナリングＲＲＣ  ｓｉｇｎａｌｉｎｇによって指示される特定ＰＲＢ  ｉｎｄｅｘを起点として、ｉｎｉｔｉａｌ  ＵＬ  ＢＷＰと同じ大きさのＢＷＰであり、又は、前記メッセージ３の基地局によるスケジューリング及び前記メッセージ３の端末による送信のためにＲＲＣ  ｓｉｇｎａｌｉｎｇによって指示されるＵＬ  ＢＷＰであり、前記ＢＷＰは、ａｃｔｉｖｅ  ＵＬ  ＢＷＰ内に完全に含まれる、請求項４６に記載の端末。
【請求項５０】
基地局から端末に対して設定したａｃｔｉｖｅ  ＵＬ  ＢＷＰは、ｉｎｉｔｉａｌ  ＵＬ  ＢＷＰの全体を含むのではない、請求項４９に記載の端末。
【請求項５１】
前記プロセッサは、具体的には、
前記メッセージ３のスケジューリング及び送信が存在する周波数領域範囲又は帯域幅部分ＢＷＰを、無線リソース制御シグナリングＲＲＣ  ｓｉｇｎａｌｉｎｇによって決定する、請求項４４に記載の端末。
【請求項５２】
前記メッセージ３の送信が存在する周波数領域範囲又はＢＷＰは、基地局から端末に対して物理ランダムアクセスチャネルＰＲＡＣＨリソースを設定する際に対応的に設定される、請求項５１に記載の端末。
【請求項５３】
前記周波数領域範囲又はＢＷＰは、端末の活性化上り帯域幅部分ａｃｔｉｖｅ  ＵＬ  ＢＷＰに含まれる、請求項５２に記載の端末。
【請求項５４】
前記プロセッサは、具体的には、
所定の周波数領域範囲又は帯域幅部分ＢＷＰ内で、基地局のスケジューリングに従って、前記トランシーバを介して前記メッセージ３を送信し、
ここで、前記所定の周波数領域範囲又はＢＷＰの大きさは、明示的シグナリングによって通知されるか、又はプロトコルで予め定義される方式で決められ、
及び／又は、
前記所定の周波数領域範囲又はＢＷＰの開始リソースブロックインデックスＲＢ  ｉｎｄｅｘは、対応するプリアンブルｐｒｅａｍｂｌｅを送信する物理ランダムアクセスチャネルＰＲＡＣＨリソースの最小ＲＢ番号と同一であり、
ここで、前記所定の周波数領域範囲又はＢＷＰは、完全に端末の活性化上り帯域幅部分ａｃｔｉｖｅ  ＵＬ  ＢＷＰ内に位置する、請求項４４に記載の端末。
【請求項５５】
前記所定の周波数領域範囲又はＢＷＰの開始リソースブロックインデックスＲＢ  ｉｎｄｅｘが、対応するプリアンブルｐｒｅａｍｂｌｅを送信する物理ランダムアクセスチャネルＰＲＡＣＨリソースの最小ＲＢ番号と同一である場合、
ｐｒｅａｍｂｌｅは、基地局による受信に成功し、且つ、対応する応答をランダムアクセス応答ＲＡＲで行うように基地局に指示するｐｒｅａｍｂｌｅである、請求項５４に記載の端末。
【請求項５６】
前記所定の周波数領域範囲又はＢＷＰの大きさが、明示的シグナリングによって通知されるか、又はプロトコルで予め定義される方式で決められる場合、
前記周波数領域範囲又はＢＷＰの大きさは、無線リソース制御シグナリングＲＲＣ  ｓｉｇｎａｌｉｎｇで通知され、又は、
前記周波数領域範囲又はＢＷＰの大きさは、初期上り帯域幅部分ｉｎｉｔｉａｌ  ＵＬ  ＢＷＰと同じであり、又は、
前記周波数領域範囲又はＢＷＰの大きさは、他の予め定められた値である、請求項５４に記載の端末。
【請求項５７】
コンピュータプログラムが格納されているコンピュータ読み取り可能な記憶媒体であって、
該プログラムがプロセッサによって実行されると、請求項１〜１５のいずれか１項に記載の上りリソース割当方法が実現され、又は、
該プログラムがプロセッサによって実行されると、請求項１６〜２８のいずれか１項に記載の上りリソース割当方法が実現される、コンピュータプログラムが格納されているコンピュータ読み取り可能な記憶媒体。
【請求項５８】
上りリソース割当装置であって、
競合に基づくランダムアクセスＣＢＲＡプロセスにおけるメッセージ３のリソース割当情報を決定する第１決定モジュールを含み、
ここで、前記リソース割当情報は、基地局によって所定規則に基づいて決定されるか、又は基地局によって設定されて端末に通知され、
所定規則に基づいてリソース割当情報が決定される場合、前記基地局と前記端末に用いられる所定規則は、同じである、上りリソース割当装置。
【請求項５９】
前記第１決定モジュールは、
初期上り帯域幅部分ｉｎｉｔｉａｌ  ＵＬ  ＢＷＰに従って、前記メッセージ３の伝送用ＢＷＰを決定する第１処理サブモジュールを含み、且つ、ここで、端末に対して設定した活性化上り帯域幅部分ａｃｔｉｖｅ  ＵＬ  ＢＷＰは、ｉｎｉｔｉａｌ  ＵＬ  ＢＷＰの全体を含む、請求項５８に記載の上りリソース割当装置。
【請求項６０】
前記第１決定モジュールは、
初期上り帯域幅部分ｉｎｉｔｉａｌ  ＵＬ  ＢＷＰと活性化帯域幅部分ａｃｔｉｖｅ  ＢＷＰの設定及び物理ランダムアクセスチャネルＰＲＡＣＨリソースの設定に基づいて、前記メッセージ３のスケジューリング及び送信が存在する周波数領域範囲又はＢＷＰを決定する第１決定サブモジュールを含む、請求項５８に記載の上りリソース割当装置。
【請求項６１】
前記第１決定モジュールは、
前記メッセージ３のスケジューリング及び送信が存在する周波数領域範囲又は帯域幅部分ＢＷＰを、無線リソース制御シグナリングＲＲＣ  ｓｉｇｎａｌｉｎｇによって端末に通知する第２処理サブモジュールを含む、請求項５８に記載の上りリソース割当装置。
【請求項６２】
前記第１決定モジュールは、
前記メッセージ３をスケジューリングする際に、所定の周波数領域範囲又は帯域幅部分ＢＷＰに従ってスケジューリングする第３処理サブモジュールを含み、
ここで、前記所定の周波数領域範囲又はＢＷＰの大きさは、明示的シグナリングによって通知されるか、又はプロトコルで予め定義される方式で決められ、
及び／又は、
前記所定の周波数領域範囲又はＢＷＰの開始リソースブロックインデックスＲＢ  ｉｎｄｅｘは、対応するプリアンブルｐｒｅａｍｂｌｅを送信する物理ランダムアクセスチャネルＰＲＡＣＨリソースの最小ＲＢ番号と同一であり、
ここで、前記所定の周波数領域範囲又はＢＷＰは、完全に端末の活性化上り帯域幅部分ａｃｔｉｖｅ  ＵＬ  ＢＷＰ内に位置する、請求項５８に記載の上りリソース割当装置。
【請求項６３】
上りリソース割当装置であって、
競合に基づくランダムアクセスＣＢＲＡプロセスにおけるメッセージ３のリソース割当情報を決定する第２決定モジュールを含み、
ここで、前記リソース割当情報は、端末によって所定規則に基づいて決定されるか、又は基地局によって設定されて通知され、
所定規則に基づいてリソース割当情報が決定される場合、前記基地局と前記端末に用いられる所定規則は、同じである、上りリソース割当装置。
【請求項６４】
前記第２決定モジュールは、
初期上り帯域幅部分ｉｎｉｔｉａｌ  ＵＬ  ＢＷＰ内で、ランダムアクセス応答ＲＡＲに運ばれる上りスケジューリンググラントＵＬ  ｇｒａｎｔ情報に基づいて前記メッセージ３を伝送する第４処理サブモジュールを含む、請求項６３に記載の上りリソース割当装置。
【請求項６５】
前記第２決定モジュールは、
初期上り帯域幅部分ｉｎｉｔｉａｌ  ＵＬ  ＢＷＰと活性化帯域幅部分ａｃｔｉｖｅ  ＢＷＰの設定及び物理ランダムアクセスチャネルＰＲＡＣＨリソースの設定に基づいて、前記メッセージ３のスケジューリング及び送信が存在する周波数領域範囲又はＢＷＰを決定する第２決定サブモジュールを含む、請求項６３に記載の上りリソース割当装置。
【請求項６６】
前記第２決定モジュールは、
前記メッセージ３のスケジューリング及び送信が存在する周波数領域範囲又は帯域幅部分ＢＷＰを、無線リソース制御シグナリングＲＲＣ  ｓｉｇｎａｌｉｎｇによって決定する第５処理サブモジュールを含む、請求項６３に記載の上りリソース割当装置。
【請求項６７】
前記第２決定モジュールは、
所定の周波数領域範囲又は帯域幅部分ＢＷＰ内で、基地局のスケジューリングに従って前記メッセージ３を送信する第６処理サブモジュールを含み、
ここで、前記所定の周波数領域範囲又はＢＷＰの大きさは、明示的シグナリングによって通知されるか、又はプロトコルで予め定義される方式で決められ、
及び／又は、
前記所定の周波数領域範囲又はＢＷＰの開始リソースブロックインデックスＲＢ  ｉｎｄｅｘは、対応するプリアンブルｐｒｅａｍｂｌｅを送信する物理ランダムアクセスチャネルＰＲＡＣＨリソースの最小ＲＢ番号と同一であり、
ここで、前記所定の周波数領域範囲又はＢＷＰは、完全に端末の活性化上り帯域幅部分ａｃｔｉｖｅ  ＵＬ  ＢＷＰ内に位置する、請求項６３に記載の上りリソース割当装置。
【発明の詳細な説明】
【技術分野】
【０００１】
関連出願の相互参照
本願は、２０１８年７月１３日に中国特許庁に提出された中国特許出願２０１８１０７７０３７４．Ｘの優先権を主張し、その全ての内容が援用によりここに取り込まれる。
本開示は、通信技術分野に係り、特に上りリソース割当方法、装置、基地局及び端末に係る。
【背景技術】
【０００２】
ロングタームエボリューションＬＴＥ（Ｌｏｎｇ  Ｔｅｒｍ  Ｅｖｏｌｕｔｉｏｎ）システムにおいて、端末と基地局のシステム帯域幅に関する理解は、一致している。基地局によって設定された物理ランダムアクセスチャネルＰＲＡＣＨ（Ｐｈｙｓｉｃａｌ  Ｒａｎｄｏｍ  Ａｃｃｅｓｓ  Ｃｈａｎｎｅｌ）リソース上で端末がプリアンブル（ｐｒｅａｍｂｌｅ）を送信する場合、基地局は、該ｐｒｅａｍｂｌｅを受信すると、ｍｓｇ３（メッセージ３）を該帯域幅で送信するように、同じ理解のシステム帯域幅でスケジューリングする。ランダムアクセス応答ＲＡＲ（ｒａｎｄｏｍ  ａｃｃｅｓｓ  ｒｅｓｐｏｎｓｅ）に運ばれるｍｓｇ３の上りスケジューリンググラント（ＵＬ（Ｕｐｌｉｎｋ）  ｇｒａｎｔ）の内容は、以下の通りである。
−周波数ホッピングフラグ（Ｈｏｐｐｉｎｇ  ｆｌａｇ）−１ｂｉｔ
−固定サイズのリソース割当（Ｆｉｘｅｄ  ｓｉｚｅ  ｒｅｓｏｕｒｃｅ  ｂｌｏｃｋ  ａｓｓｉｇｎｍｅｎｔ）−１０ｂｉｔｓ
−短縮変調符号化方式（Ｔｒｕｎｃａｔｅｄ  ｍｏｄｕｌａｔｉｏｎ  ａｎｄ  ｃｏｄｉｎｇ  ｓｃｈｅｍｅ）−４ｂｉｔｓ
−物理上り共有チャネルに対する送信電力制御コマンド（ＴＰＣ（Ｔｒａｎｓｍｉｔ  Ｐｏｗｅｒ  Ｃｏｎｔｒｏｌ）  ｃｏｍｍａｎｄ  ｆｏｒ  ｓｃｈｅｄｕｌｅｄ  ＰＵＳＣＨ（Ｐｈｙｓｉｃａｌ  Ｕｐｌｉｎｋ  Ｓｈａｒｅｄ  Ｃｈａｎｎｅｌ））−３ｂｉｔｓ
−アップリンク遅延（ＵＬ  ｄｅｌａｙ）−１ｂｉｔ
−チャネル状態情報要求（ＣＳＩ（Ｃｈａｎｎｅｌ  Ｓｔａｔｅ  Ｉｎｆｏｒｍａｔｉｏｎ）  ｒｅｑｕｅｓｔ）−１ｂｉｔ。
【０００３】
基地局は、現在の伝送システム帯域幅に基づいて、固定サイズのリソース割当（ｆｉｘｅｄ  ｓｉｚｅ  ｒｅｓｏｕｒｃｅ  ｂｌｏｃｋ  ａｓｓｉｇｎｍｅｎｔ）指示フィールドを用いてｍｓｇ３のリソース割当を指示し、端末は、この指示フィールドに基づいて、伝送システム帯域幅内でどのようにｍｓｇ３を送信するかを決定する。
【０００４】
即ち、関連技術のＬＴＥシステムにおいて、ＰＲＡＣＨリソースの設定やｍｓｇ３の送信は、いずれも現在の伝送システム帯域幅に基づいて行われ、該伝送システム帯域幅について、端末側と基地局側とで同じ理解である。５Ｇシステムにおいて、基地局は、異なる端末のために、異なる上り帯域幅部分（ＵＬ  ＢＷＰ）を設定することができる。端末が活性化上り帯域幅部分（ａｃｔｉｖｅ  ＵＬ  ＢＷＰ）で競合に基づくランダムアクセスを開始する場合、基地局がｍｓｇ３のリソース割当時にどのＵＬ  ＢＷＰ  （Ｂａｎｄ  Ｗｉｄｔｈ  Ｐａｒｔ）に基づいて割り当てを行うか、基地局から送信されたＵＬ  ｇｒａｎｔを端末が受信した後にリソース割当領域をどのように理解するかについては、関連技術では明確な解決策がなかった。
【０００５】
具体的には、５Ｇ移動通信システムにおいて、競合に基づくランダムアクセスＣＢＲＡ（Ｃｏｎｔｅｎｔｉｏｎ  Ｂａｓｅｄ  Ｒａｎｄｏｍ  Ａｃｃｅｓｓ）プロセスにおけるｍｓｇ３のリソース割当は、ＲＡＲに運ばれるＵＬ  ｇｒａｎｔによって指示され、該ＵＬ  ｇｒａｎｔにおける周波数領域リソース割当指示フィールドｂｉｔ数は、固定である。端末がリンク状態に入ると、基地局は、異なる端末のために異なる帯域幅部分ＢＷＰ（Ｂａｎｄ  Ｗｉｄｔｈ  Ｐａｒｔ）を設定する。複数の端末が同じランダムアクセスチャネルＲＡＣＨ（Ｒａｎｄｏｍ  Ａｃｃｅｓｓ  Ｃｈａｎｎｅｌ）リソース上で同じｐｒｅａｍｂｌｅを送信する場合、基地局側では異なる端末側のＢＷＰ設定を区別することができないため、端末の上りＢＷＰについての理解が端末側と基地局側で異なることになり、ｍｓｇ３の送信及び受信に誤りが生じる可能性がある。この問題をどのように解決するかは、関連技術において明確な解決策を有していない。
【発明の概要】
【発明が解決しようとする課題】
【０００６】
本開示の目的は、ＣＢＲＡプロセスにおけるｍｓｇ３のリソース割当によってｍｓｇ３の送信及び受信に誤りが生じる可能性があるという関連技術の問題を解決するために、上りリソース割当方法、装置、基地局及び端末を提供することにある。
【課題を解決するための手段】
【０００７】
上記の技術課題を解決するために、本開示の実施例に係る上りリソース割当方法は、競合に基づくランダムアクセスＣＢＲＡプロセスにおけるメッセージ３のリソース割当情報を決定するステップを含む。ここで、前記リソース割当情報は、基地局によって所定規則に基づいて決定されるか、又は基地局によって設定されて端末に通知される。所定規則に基づいてリソース割当情報が決定される場合、前記基地局と前記端末に用いられる所定規則は、同じである。
【０００８】
任意選択で、前記の競合に基づくランダムアクセスＣＢＲＡプロセスにおけるメッセージ３のリソース割当情報を決定するステップは、初期上り帯域幅部分ｉｎｉｔｉａｌ  ＵＬ  ＢＷＰに従って、前記メッセージ３の伝送用ＢＷＰを決定するステップを含み、且つ、端末に対して設定した活性化上り帯域幅部分ａｃｔｉｖｅ  ＵＬ  ＢＷＰは、ｉｎｉｔｉａｌ  ＵＬ  ＢＷＰの全体を含む。
【０００９】
任意選択で、前記の競合に基づくランダムアクセスＣＢＲＡプロセスにおけるメッセージ３のリソース割当情報を決定するステップは、初期上り帯域幅部分ｉｎｉｔｉａｌ  ＵＬ  ＢＷＰと活性化帯域幅部分ａｃｔｉｖｅ  ＢＷＰの設定及び物理ランダムアクセスチャネルＰＲＡＣＨリソースの設定に基づいて、前記メッセージ３のスケジューリング及び送信が存在する周波数領域範囲又はＢＷＰを決定するステップを含む。
【００１０】
任意選択で、前記の初期上り帯域幅部分ｉｎｉｔｉａｌ  ＵＬ  ＢＷＰと活性化帯域幅部分ａｃｔｉｖｅ  ＢＷＰの設定及び物理ランダムアクセスチャネルＰＲＡＣＨリソースの設定に基づいて、前記メッセージ３のスケジューリング及び送信が存在する周波数領域範囲又はＢＷＰを決定するステップは、端末に対して、活性化上り帯域幅部分ａｃｔｉｖｅ  ＵＬ  ＢＷＰ内に設定した物理ランダムアクセスチャネルＰＲＡＣＨリソースと、ｉｎｉｔｉａｌ  ＵＬ  ＢＷＰ内に設定したＰＲＡＣＨリソースとは完全に重なり、且つ端末が、ｉｎｉｔｉａｌ  ＵＬ  ＢＷＰ上に設定されたｐｒｅａｍｂｌｅ群に属するプリアンブルｐｒｅａｍｂｌｅを前記ＰＲＡＣＨリソース上で送信する場合、ｉｎｉｔｉａｌ  ＵＬ  ＢＷＰに基づいて前記メッセージ３をスケジューリングするステップを含む。
【００１１】
任意選択で、端末に対して設定したａｃｔｉｖｅ  ＵＬ  ＢＷＰは、ｉｎｉｔｉａｌ  ＵＬ  ＢＷＰの全体を含む。
【００１２】
任意選択で、前記の端末に対して設定したａｃｔｉｖｅ  ＵＬ  ＢＷＰが、ｉｎｉｔｉａｌ  ＵＬ  ＢＷＰの全体を含むことは、具体的には、設定時に、完全に重なるＰＲＡＣＨリソースを有し且つ同じｐｒｅａｍｂｌｅ群の全ての端末に対して設定したａｃｔｉｖｅ  ＵＬ  ＢＷＰは、ｉｎｉｔｉａｌ  ＵＬ  ＢＷＰの全体を含むことである。
【００１３】
任意選択で、前記の初期上り帯域幅部分ｉｎｉｔｉａｌ  ＵＬ  ＢＷＰと活性化帯域幅部分ａｃｔｉｖｅ  ＢＷＰの設定及び物理ランダムアクセスチャネルＰＲＡＣＨリソースの設定に基づいて、前記メッセージ３のスケジューリング及び送信が存在する周波数領域範囲又はＢＷＰを決定するステップは、端末に対して、活性化上り帯域幅部分ａｃｔｉｖｅ  ＵＬ  ＢＷＰ内に設定した物理ランダムアクセスチャネルＰＲＡＣＨリソースと、ｉｎｉｔｉａｌ  ＵＬ  ＢＷＰ内に設定したＰＲＡＣＨリソースとは完全に重なるのではない場合、及び／又は、端末が、ｉｎｉｔｉａｌ  ＵＬ  ＢＷＰ上に設定されたｐｒｅａｍｂｌｅ群に属さないプリアンブルｐｒｅａｍｂｌｅを前記ＰＲＡＣＨリソース上で送信する場合、所定のＢＷＰに従って前記メッセージ３をスケジューリングするステップを更に含む。ここで、前記所定のＢＷＰは、ａｃｔｉｖｅ  ＵＬ  ＢＷＰの最小物理リソースブロックインデックスＰＲＢ  ｉｎｄｅｘから始まり、且つｉｎｉｔｉａｌ  ＵＬ  ＢＷＰと同じ大きさのＢＷＰである。又は、前記所定のＢＷＰは、ａｃｔｉｖｅ  ＵＬ  ＢＷＰである。又は、前記所定のＢＷＰは、端末がｐｒｅａｍｂｌｅを送信するＰＲＡＣＨリソースの最小ＰＲＢ  ｉｎｄｅｘから始まり、ｉｎｉｔｉａｌ  ＵＬ  ＢＷＰと同じ大きさのＢＷＰである。又は、前記所定のＢＷＰは、無線リソース制御シグナリングＲＲＣ  ｓｉｇｎａｌｉｎｇによって指示される特定ＰＲＢ  ｉｎｄｅｘを起点として、ｉｎｉｔｉａｌ  ＵＬ  ＢＷＰと同じ大きさのＢＷＰであり、又は、前記メッセージ３の基地局によるスケジューリング及び前記メッセージ３の端末による送信のためにＲＲＣ  ｓｉｇｎａｌｉｎｇによって指示されるＵＬ  ＢＷＰである。前記ＢＷＰは、ａｃｔｉｖｅ  ＵＬ  ＢＷＰ内に完全に含まれる。
【００１４】
任意選択で、端末に対して設定したａｃｔｉｖｅ  ＵＬ  ＢＷＰは、ｉｎｉｔｉａｌ  ＵＬ  ＢＷＰの全体を含むのではない。
【００１５】
任意選択で、前記の競合に基づくランダムアクセスＣＢＲＡプロセスにおけるメッセージ３のリソース割当情報を決定するステップは、前記メッセージ３のスケジューリング及び送信が存在する周波数領域範囲又は帯域幅部分ＢＷＰを、無線リソース制御シグナリングＲＲＣ  ｓｉｇｎａｌｉｎｇによって端末に通知するステップを含む。
【００１６】
任意選択で、物理ランダムアクセスチャネルＰＲＡＣＨリソースの設定及び対応する前記メッセージ３の送信が存在する周波数領域範囲又はＢＷＰの設定を端末に対して行うステップを更に含む。
【００１７】
任意選択で、前記周波数領域範囲又はＢＷＰは、端末の活性化上り帯域幅部分ａｃｔｉｖｅ  ＵＬ  ＢＷＰに含まれる。
【００１８】
任意選択で、異なる端末のために設定する同じＰＲＡＣＨリソースに対して、前記周波数領域範囲又はＢＷＰは、キャリアｃａｒｒｉｅｒ内の位置が同じである。
【００１９】
任意選択で、前記の競合に基づくランダムアクセスＣＢＲＡプロセスにおけるメッセージ３のリソース割当情報を決定するステップは、前記メッセージ３をスケジューリングする際に、所定の周波数領域範囲又は帯域幅部分ＢＷＰに従ってスケジューリングするステップを含む。ここで、前記所定の周波数領域範囲又はＢＷＰの大きさは、明示的シグナリングによって通知されるか、又はプロトコルで予め定義される方式で決められ、及び／又は、前記所定の周波数領域範囲又はＢＷＰの開始リソースブロックインデックスＲＢ  ｉｎｄｅｘは、対応するプリアンブルｐｒｅａｍｂｌｅを送信する物理ランダムアクセスチャネルＰＲＡＣＨリソースの最小ＲＢ番号と同一である。ここで、前記所定の周波数領域範囲又はＢＷＰは、完全に端末の活性化上り帯域幅部分ａｃｔｉｖｅ  ＵＬ  ＢＷＰ内に位置する。
【００２０】
任意選択で、前記所定の周波数領域範囲又はＢＷＰの開始リソースブロックインデックスＲＢ  ｉｎｄｅｘが、対応するプリアンブルｐｒｅａｍｂｌｅを送信する物理ランダムアクセスチャネルＰＲＡＣＨリソースの最小ＲＢ番号と同一である場合、ｐｒｅａｍｂｌｅは、基地局による受信に成功し、且つ、対応する応答をランダムアクセス応答ＲＡＲで行うように基地局に指示するｐｒｅａｍｂｌｅである。
【００２１】
任意選択で、前記所定の周波数領域範囲又はＢＷＰの大きさが、明示的シグナリングによって通知されるか、又はプロトコルで予め定義される方式で決められる場合、前記周波数領域範囲又はＢＷＰの大きさは、無線リソース制御シグナリングＲＲＣ  ｓｉｇｎａｌｉｎｇで通知され、又は、前記周波数領域範囲又はＢＷＰの大きさは、初期上り帯域幅部分ｉｎｉｔｉａｌ  ＵＬ  ＢＷＰと同じであり、又は、前記周波数領域範囲又はＢＷＰの大きさは、他の予め定められた値である。
【００２２】
本開示の実施例は、上りリソース割当方法を更に提供し、競合に基づくランダムアクセスＣＢＲＡプロセスにおけるメッセージ３のリソース割当情報を決定するステップを含む。ここで、前記リソース割当情報は、端末によって所定規則に基づいて決定されるか、又は基地局によって設定されて通知される。所定規則に基づいてリソース割当情報が決定される場合、前記基地局と前記端末に用いられる所定規則は、同じである。
【００２３】
任意選択で、前記の競合に基づくランダムアクセスＣＢＲＡプロセスにおけるメッセージ３のリソース割当情報を決定するステップは、初期上り帯域幅部分ｉｎｉｔｉａｌ  ＵＬ  ＢＷＰ内で、ランダムアクセス応答ＲＡＲに運ばれる上りスケジューリンググラントＵＬ  ｇｒａｎｔ情報に基づいて前記メッセージ３を伝送するステップを含む。
【００２４】
任意選択で、前記の競合に基づくランダムアクセスＣＢＲＡプロセスにおけるメッセージ３のリソース割当情報を決定するステップは、初期上り帯域幅部分ｉｎｉｔｉａｌ  ＵＬ  ＢＷＰと活性化帯域幅部分ａｃｔｉｖｅ  ＢＷＰの設定及び物理ランダムアクセスチャネルＰＲＡＣＨリソースの設定に基づいて、前記メッセージ３のスケジューリング及び送信が存在する周波数領域範囲又はＢＷＰを決定するステップを含む。
【００２５】
任意選択で、前記の初期上り帯域幅部分ｉｎｉｔｉａｌ  ＵＬ  ＢＷＰと活性化帯域幅部分ａｃｔｉｖｅ  ＢＷＰの設定及び物理ランダムアクセスチャネルＰＲＡＣＨリソースの設定に基づいて、前記メッセージ３のスケジューリング及び送信が存在する周波数領域範囲又はＢＷＰを決定するステップは、基地局から端末に対して、活性化上り帯域幅部分ａｃｔｉｖｅ  ＵＬ  ＢＷＰ内に設定した物理ランダムアクセスチャネルＰＲＡＣＨリソースと、ｉｎｉｔｉａｌ  ＵＬ  ＢＷＰ内に設定したＰＲＡＣＨリソースとは完全に重なり、且つ端末が、ｉｎｉｔｉａｌ  ＵＬ  ＢＷＰ上に設定されたｐｒｅａｍｂｌｅ群に属するプリアンブルｐｒｅａｍｂｌｅを前記ＰＲＡＣＨリソース上で送信する場合、前記基地局から送信された上りスケジューリンググラントＵＬ  ｇｒａｎｔ情報に基づいて、ｉｎｉｔｉａｌ  ＢＷＰ内で対応する前記メッセージ３を送信するステップを含む。
【００２６】
任意選択で、ａｃｔｉｖｅ  ＵＬ  ＢＷＰは、ｉｎｉｔｉａｌ  ＵＬ  ＢＷＰの全体を含む。
【００２７】
任意選択で、前記の初期上り帯域幅部分ｉｎｉｔｉａｌ  ＵＬ  ＢＷＰと活性化帯域幅部分ａｃｔｉｖｅ  ＢＷＰの設定及び物理ランダムアクセスチャネルＰＲＡＣＨリソースの設定に基づいて、前記メッセージ３のスケジューリング及び送信が存在する周波数領域範囲又はＢＷＰを決定するステップは、基地局から端末に対して、活性化上り帯域幅部分ａｃｔｉｖｅ  ＵＬ  ＢＷＰ内に設定した物理ランダムアクセスチャネルＰＲＡＣＨリソースと、ｉｎｉｔｉａｌ  ＵＬ  ＢＷＰ内に設定したＰＲＡＣＨリソースとは完全に重なるのではない場合、及び／又は、端末が、ｉｎｉｔｉａｌ  ＵＬ  ＢＷＰ上に設定されたｐｒｅａｍｂｌｅ群に属さないプリアンブルｐｒｅａｍｂｌｅを前記ＰＲＡＣＨリソース上で送信する場合、基地局から送信されたＵＬ  ｇｒａｎｔ情報に基づいて、所定のＢＷＰに従って前記メッセージ３を送信するステップを更に含む。ここで、前記所定のＢＷＰは、ａｃｔｉｖｅ  ＵＬ  ＢＷＰの最小物理リソースブロックインデックスＰＲＢ  ｉｎｄｅｘから始まり、且つｉｎｉｔｉａｌ  ＵＬ  ＢＷＰと同じ大きさのＢＷＰである。又は、前記所定のＢＷＰは、ａｃｔｉｖｅ  ＵＬ  ＢＷＰである。又は、前記所定のＢＷＰは、端末がｐｒｅａｍｂｌｅを送信するＰＲＡＣＨリソースの最小ＰＲＢ  ｉｎｄｅｘから始まり、ｉｎｉｔｉａｌ  ＵＬ  ＢＷＰと同じ大きさのＢＷＰである。又は、前記所定のＢＷＰは、無線リソース制御シグナリングＲＲＣ  ｓｉｇｎａｌｉｎｇによって指示される特定ＰＲＢ  ｉｎｄｅｘを起点として、ｉｎｉｔｉａｌ  ＵＬ  ＢＷＰと同じ大きさのＢＷＰであり、又は、前記メッセージ３の基地局によるスケジューリング及び前記メッセージ３の端末による送信のためにＲＲＣ  ｓｉｇｎａｌｉｎｇによって指示されるＵＬ  ＢＷＰである。前記ＢＷＰは、ａｃｔｉｖｅ  ＵＬ  ＢＷＰ内に完全に含まれる。
【００２８】
任意選択で、基地局から端末に対して設定したａｃｔｉｖｅ  ＵＬ  ＢＷＰは、ｉｎｉｔｉａｌ  ＵＬ  ＢＷＰの全体を含むのではない。
【００２９】
任意選択で、前記の競合に基づくランダムアクセスＣＢＲＡプロセスにおけるメッセージ３のリソース割当情報を決定するステップは、前記メッセージ３のスケジューリング及び送信が存在する周波数領域範囲又は帯域幅部分ＢＷＰを、無線リソース制御シグナリングＲＲＣ  ｓｉｇｎａｌｉｎｇによって決定するステップを含む。
【００３０】
任意選択で、前記メッセージ３の送信が存在する周波数領域範囲又はＢＷＰは、基地局から端末に対して物理ランダムアクセスチャネルＰＲＡＣＨリソースを設定する際に対応的に設定される。
【００３１】
任意選択で、前記周波数領域範囲又はＢＷＰは、端末の活性化上り帯域幅部分ａｃｔｉｖｅ  ＵＬ  ＢＷＰに含まれる。
【００３２】
任意選択で、前記の競合に基づくランダムアクセスＣＢＲＡプロセスにおけるメッセージ３のリソース割当情報を決定するステップは、所定の周波数領域範囲又は帯域幅部分ＢＷＰ内で、基地局のスケジューリングに従って前記メッセージ３を送信するステップを含む。ここで、前記所定の周波数領域範囲又はＢＷＰの大きさは、明示的シグナリングによって通知されるか、又はプロトコルで予め定義される方式で決められ、及び／又は、前記所定の周波数領域範囲又はＢＷＰの開始リソースブロックインデックスＲＢ  ｉｎｄｅｘは、対応するプリアンブルｐｒｅａｍｂｌｅを送信する物理ランダムアクセスチャネルＰＲＡＣＨリソースの最小ＲＢ番号と同一である。ここで、前記所定の周波数領域範囲又はＢＷＰは、完全に端末の活性化上り帯域幅部分ａｃｔｉｖｅ  ＵＬ  ＢＷＰ内に位置する。
【００３３】
任意選択で、前記所定の周波数領域範囲又はＢＷＰの開始リソースブロックインデックスＲＢ  ｉｎｄｅｘが、対応するプリアンブルｐｒｅａｍｂｌｅを送信する物理ランダムアクセスチャネルＰＲＡＣＨリソースの最小ＲＢ番号と同一である場合、ｐｒｅａｍｂｌｅは、基地局による受信に成功し、且つ、対応する応答をランダムアクセス応答ＲＡＲで行うように基地局に指示するｐｒｅａｍｂｌｅである。
【００３４】
任意選択で、前記所定の周波数領域範囲又はＢＷＰの大きさが、明示的シグナリングによって通知されるか、又はプロトコルで予め定義される方式で決められる場合、前記周波数領域範囲又はＢＷＰの大きさは、無線リソース制御シグナリングＲＲＣ  ｓｉｇｎａｌｉｎｇで通知され、又は、前記周波数領域範囲又はＢＷＰの大きさは、初期上り帯域幅部分ｉｎｉｔｉａｌ  ＵＬ  ＢＷＰと同じであり、又は、前記周波数領域範囲又はＢＷＰの大きさは、他の予め定められた値である。
【００３５】
本開示の実施例は、メモリと、プロセッサと、トランシーバと、前記メモリに格納されて前記プロセッサで実行可能なコンピュータプログラムを含む基地局を更に提供する。前記プロセッサは、前記プログラムを実行すると、競合に基づくランダムアクセスＣＢＲＡプロセスにおけるメッセージ３のリソース割当情報を決定するステップを実現する。ここで、前記リソース割当情報は、基地局によって所定規則に基づいて決定されるか、又は基地局によって設定されて前記トランシーバを介して端末に通知される。所定規則に基づいてリソース割当情報が決定される場合、前記基地局と前記端末に用いられる所定規則は、同じである。
【００３６】
任意選択で、前記プロセッサは、具体的には、初期上り帯域幅部分ｉｎｉｔｉａｌ  ＵＬ  ＢＷＰに従って、前記メッセージ３の伝送用ＢＷＰを決定し、且つ、端末に対して設定した活性化上り帯域幅部分ａｃｔｉｖｅ  ＵＬ  ＢＷＰは、ｉｎｉｔｉａｌ  ＵＬ  ＢＷＰの全体を含む。
【００３７】
任意選択で、前記プロセッサは、具体的には、初期上り帯域幅部分ｉｎｉｔｉａｌ  ＵＬ  ＢＷＰと活性化帯域幅部分ａｃｔｉｖｅ  ＢＷＰの設定及び物理ランダムアクセスチャネルＰＲＡＣＨリソースの設定に基づいて、前記メッセージ３のスケジューリング及び送信が存在する周波数領域範囲又はＢＷＰを決定する。
【００３８】
任意選択で、前記プロセッサは、具体的には、端末に対して、活性化上り帯域幅部分ａｃｔｉｖｅ  ＵＬ  ＢＷＰ内に設定した物理ランダムアクセスチャネルＰＲＡＣＨリソースと、ｉｎｉｔｉａｌ  ＵＬ  ＢＷＰ内に設定したＰＲＡＣＨリソースとは完全に重なり、且つ端末が、ｉｎｉｔｉａｌ  ＵＬ  ＢＷＰ上に設定されたｐｒｅａｍｂｌｅ群に属するプリアンブルｐｒｅａｍｂｌｅを前記ＰＲＡＣＨリソース上で送信する場合、ｉｎｉｔｉａｌ  ＵＬ  ＢＷＰに基づいて前記メッセージ３をスケジューリングする。
【００３９】
任意選択で、端末に対して設定したａｃｔｉｖｅ  ＵＬ  ＢＷＰは、ｉｎｉｔｉａｌ  ＵＬ  ＢＷＰの全体を含む。
【００４０】
任意選択で、前記の端末に対して設定したａｃｔｉｖｅ  ＵＬ  ＢＷＰが、ｉｎｉｔｉａｌ  ＵＬ  ＢＷＰの全体を含むことは、具体的には、設定時に、完全に重なるＰＲＡＣＨリソースを有し且つ同じｐｒｅａｍｂｌｅ群の全ての端末に対して設定したａｃｔｉｖｅ  ＵＬ  ＢＷＰは、ｉｎｉｔｉａｌ  ＵＬ  ＢＷＰの全体を含むことである。
【００４１】
任意選択で、前記プロセッサは、更に、端末に対して、活性化上り帯域幅部分ａｃｔｉｖｅ  ＵＬ  ＢＷＰ内に設定した物理ランダムアクセスチャネルＰＲＡＣＨリソースと、ｉｎｉｔｉａｌ  ＵＬ  ＢＷＰ内に設定したＰＲＡＣＨリソースとは完全に重なるのではない場合、及び／又は、端末が、ｉｎｉｔｉａｌ  ＵＬ  ＢＷＰ上に設定されたｐｒｅａｍｂｌｅ群に属さないプリアンブルｐｒｅａｍｂｌｅを前記ＰＲＡＣＨリソース上で送信する場合、所定のＢＷＰに従って前記メッセージ３をスケジューリングする。ここで、前記所定のＢＷＰは、ａｃｔｉｖｅ  ＵＬ  ＢＷＰの最小物理リソースブロックインデックスＰＲＢ  ｉｎｄｅｘから始まり、且つｉｎｉｔｉａｌ  ＵＬ  ＢＷＰと同じ大きさのＢＷＰである。又は、前記所定のＢＷＰは、ａｃｔｉｖｅ  ＵＬ  ＢＷＰである。又は、前記所定のＢＷＰは、端末がｐｒｅａｍｂｌｅを送信するＰＲＡＣＨリソースの最小ＰＲＢ  ｉｎｄｅｘから始まり、ｉｎｉｔｉａｌ  ＵＬ  ＢＷＰと同じ大きさのＢＷＰである。又は、前記所定のＢＷＰは、無線リソース制御シグナリングＲＲＣ  ｓｉｇｎａｌｉｎｇによって指示される特定ＰＲＢ  ｉｎｄｅｘを起点として、ｉｎｉｔｉａｌ  ＵＬ  ＢＷＰと同じ大きさのＢＷＰであり、又は、前記メッセージ３の基地局によるスケジューリング及び前記メッセージ３の端末による送信のためにＲＲＣ  ｓｉｇｎａｌｉｎｇによって指示されるＵＬ  ＢＷＰである。前記ＢＷＰは、ａｃｔｉｖｅ  ＵＬ  ＢＷＰ内に完全に含まれる。
【００４２】
任意選択で、端末に対して設定したａｃｔｉｖｅ  ＵＬ  ＢＷＰは、ｉｎｉｔｉａｌ  ＵＬ  ＢＷＰの全体を含むのではない。
【００４３】
任意選択で、前記プロセッサは、更に、前記メッセージ３のスケジューリング及び送信が存在する周波数領域範囲又は帯域幅部分ＢＷＰを、無線リソース制御シグナリングＲＲＣ  ｓｉｇｎａｌｉｎｇによって端末に通知する。
【００４４】
任意選択で、前記プロセッサは、更に、物理ランダムアクセスチャネルＰＲＡＣＨリソースの設定及び対応する前記メッセージ３の送信が存在する周波数領域範囲又はＢＷＰの設定を端末に対して行う。
【００４５】
任意選択で、前記周波数領域範囲又はＢＷＰは、端末の活性化上り帯域幅部分ａｃｔｉｖｅ  ＵＬ  ＢＷＰに含まれる。
【００４６】
任意選択で、異なる端末のために設定する同じＰＲＡＣＨリソースに対して、前記周波数領域範囲又はＢＷＰは、キャリアｃａｒｒｉｅｒ内の位置が同じである。
【００４７】
任意選択で、前記プロセッサは、具体的には、前記メッセージ３をスケジューリングする際に、所定の周波数領域範囲又は帯域幅部分ＢＷＰに従ってスケジューリングする。ここで、前記所定の周波数領域範囲又はＢＷＰの大きさは、明示的シグナリングによって通知されるか、又はプロトコルで予め定義される方式で決められ、及び／又は、前記所定の周波数領域範囲又はＢＷＰの開始リソースブロックインデックスＲＢ  ｉｎｄｅｘは、対応するプリアンブルｐｒｅａｍｂｌｅを送信する物理ランダムアクセスチャネルＰＲＡＣＨリソースの最小ＲＢ番号と同一である。ここで、前記所定の周波数領域範囲又はＢＷＰは、完全に端末の活性化上り帯域幅部分ａｃｔｉｖｅ  ＵＬ  ＢＷＰ内に位置する。
【００４８】
任意選択で、前記所定の周波数領域範囲又はＢＷＰの開始リソースブロックインデックスＲＢ  ｉｎｄｅｘが、対応するプリアンブルｐｒｅａｍｂｌｅを送信する物理ランダムアクセスチャネルＰＲＡＣＨリソースの最小ＲＢ番号と同一である場合、ｐｒｅａｍｂｌｅは、基地局による受信に成功し、且つ、対応する応答をランダムアクセス応答ＲＡＲで行うように基地局に指示するｐｒｅａｍｂｌｅである。
【００４９】
任意選択で、前記所定の周波数領域範囲又はＢＷＰの大きさが、明示的シグナリングによって通知されるか、又はプロトコルで予め定義される方式で決められる場合、前記周波数領域範囲又はＢＷＰの大きさは、無線リソース制御シグナリングＲＲＣ  ｓｉｇｎａｌｉｎｇで通知され、又は、前記周波数領域範囲又はＢＷＰの大きさは、初期上り帯域幅部分ｉｎｉｔｉａｌ  ＵＬ  ＢＷＰと同じであり、又は、前記周波数領域範囲又はＢＷＰの大きさは、他の予め定められた値である。
【００５０】
本開示の実施例は、メモリと、プロセッサと、トランシーバと、前記メモリに格納されて前記プロセッサで実行可能なコンピュータプログラムを含む端末を更に提供する。前記プロセッサは、前記プログラムを実行すると、競合に基づくランダムアクセスＣＢＲＡプロセスにおけるメッセージ３のリソース割当情報を決定するステップを実現する。ここで、前記リソース割当情報は、端末によって所定規則に基づいて決定されるか、又は基地局によって設定されて通知される。所定規則に基づいてリソース割当情報が決定される場合、前記基地局と前記端末に用いられる所定規則は、同じである。
【００５１】
任意選択で、前記プロセッサは、具体的には、初期上り帯域幅部分ｉｎｉｔｉａｌ  ＵＬ  ＢＷＰ内で、ランダムアクセス応答ＲＡＲに運ばれる上りスケジューリンググラントＵＬ  ｇｒａｎｔ情報に基づいて、前記トランシーバを介して前記メッセージ３を伝送する。
【００５２】
任意選択で、前記プロセッサは、具体的には、初期上り帯域幅部分ｉｎｉｔｉａｌ  ＵＬ  ＢＷＰと活性化帯域幅部分ａｃｔｉｖｅ  ＢＷＰの設定及び物理ランダムアクセスチャネルＰＲＡＣＨリソースの設定に基づいて、前記メッセージ３のスケジューリング及び送信が存在する周波数領域範囲又はＢＷＰを決定する。
【００５３】
任意選択で、前記プロセッサは、具体的には、基地局から端末に対して、活性化上り帯域幅部分ａｃｔｉｖｅ  ＵＬ  ＢＷＰ内に設定した物理ランダムアクセスチャネルＰＲＡＣＨリソースと、ｉｎｉｔｉａｌ  ＵＬ  ＢＷＰ内に設定したＰＲＡＣＨリソースとは完全に重なり、且つ端末が、ｉｎｉｔｉａｌ  ＵＬ  ＢＷＰ上に設定されたｐｒｅａｍｂｌｅ群に属するプリアンブルｐｒｅａｍｂｌｅを前記ＰＲＡＣＨリソース上で送信する場合、前記基地局から送信された上りスケジューリンググラントＵＬ  ｇｒａｎｔ情報に基づいて、ｉｎｉｔｉａｌ  ＢＷＰ内で対応する前記メッセージ３を送信する。
【００５４】
任意選択で、ａｃｔｉｖｅ  ＵＬ  ＢＷＰは、ｉｎｉｔｉａｌ  ＵＬ  ＢＷＰの全体を含む。
【００５５】
任意選択で、前記プロセッサは、更に、基地局から端末に対して、活性化上り帯域幅部分ａｃｔｉｖｅ  ＵＬ  ＢＷＰ内に設定した物理ランダムアクセスチャネルＰＲＡＣＨリソースと、ｉｎｉｔｉａｌ  ＵＬ  ＢＷＰ内に設定したＰＲＡＣＨリソースとは完全に重なるのではない場合、及び／又は、端末が、ｉｎｉｔｉａｌ  ＵＬ  ＢＷＰ上に設定されたｐｒｅａｍｂｌｅ群に属さないプリアンブルｐｒｅａｍｂｌｅを前記ＰＲＡＣＨリソース上で送信する場合、基地局から送信されたＵＬ  ｇｒａｎｔ情報に基づいて、所定のＢＷＰに従って前記メッセージ３を送信する。ここで、前記所定のＢＷＰは、ａｃｔｉｖｅ  ＵＬ  ＢＷＰの最小物理リソースブロックインデックスＰＲＢ  ｉｎｄｅｘから始まり、且つｉｎｉｔｉａｌ  ＵＬ  ＢＷＰと同じ大きさのＢＷＰである。又は、前記所定のＢＷＰは、ａｃｔｉｖｅ  ＵＬ  ＢＷＰである。又は、前記所定のＢＷＰは、端末がｐｒｅａｍｂｌｅを送信するＰＲＡＣＨリソースの最小ＰＲＢ  ｉｎｄｅｘから始まり、ｉｎｉｔｉａｌ  ＵＬ  ＢＷＰと同じ大きさのＢＷＰである。又は、前記所定のＢＷＰは、無線リソース制御シグナリングＲＲＣ  ｓｉｇｎａｌｉｎｇによって指示される特定ＰＲＢ  ｉｎｄｅｘを起点として、ｉｎｉｔｉａｌ  ＵＬ  ＢＷＰと同じ大きさのＢＷＰであり、又は、前記メッセージ３の基地局によるスケジューリング及び前記メッセージ３の端末による送信のためにＲＲＣ  ｓｉｇｎａｌｉｎｇによって指示されるＵＬ  ＢＷＰである。前記ＢＷＰは、ａｃｔｉｖｅ  ＵＬ  ＢＷＰ内に完全に含まれる。
【００５６】
任意選択で、基地局から端末に対して設定したａｃｔｉｖｅ  ＵＬ  ＢＷＰは、ｉｎｉｔｉａｌ  ＵＬ  ＢＷＰの全体を含むのではない。
【００５７】
任意選択で、前記プロセッサは、具体的には、前記メッセージ３のスケジューリング及び送信が存在する周波数領域範囲又は帯域幅部分ＢＷＰを、無線リソース制御シグナリングＲＲＣ  ｓｉｇｎａｌｉｎｇによって決定する。
【００５８】
任意選択で、前記メッセージ３の送信が存在する周波数領域範囲又はＢＷＰは、基地局から端末に対して物理ランダムアクセスチャネルＰＲＡＣＨリソースを設定する際に対応的に設定される。
【００５９】
任意選択で、前記周波数領域範囲又はＢＷＰは、端末の活性化上り帯域幅部分ａｃｔｉｖｅ  ＵＬ  ＢＷＰに含まれる。
【００６０】
任意選択で、前記プロセッサは、具体的には、所定の周波数領域範囲又は帯域幅部分ＢＷＰ内で、基地局のスケジューリングに従って、前記トランシーバを介して前記メッセージ３を送信し、ここで、前記所定の周波数領域範囲又はＢＷＰの大きさは、明示的シグナリングによって通知されるか、又はプロトコルで予め定義される方式で決められ、及び／又は、前記所定の周波数領域範囲又はＢＷＰの開始リソースブロックインデックスＲＢ  ｉｎｄｅｘは、対応するプリアンブルｐｒｅａｍｂｌｅを送信する物理ランダムアクセスチャネルＰＲＡＣＨリソースの最小ＲＢ番号と同一である。ここで、前記所定の周波数領域範囲又はＢＷＰは、完全に端末の活性化上り帯域幅部分ａｃｔｉｖｅ  ＵＬ  ＢＷＰ内に位置する。
【００６１】
任意選択で、前記所定の周波数領域範囲又はＢＷＰの開始リソースブロックインデックスＲＢ  ｉｎｄｅｘが、対応するプリアンブルｐｒｅａｍｂｌｅを送信する物理ランダムアクセスチャネルＰＲＡＣＨリソースの最小ＲＢ番号と同一である場合、ｐｒｅａｍｂｌｅは、基地局による受信に成功し、且つ、対応する応答をランダムアクセス応答ＲＡＲで行うように基地局に指示するｐｒｅａｍｂｌｅである。
【００６２】
任意選択で、前記所定の周波数領域範囲又はＢＷＰの大きさが、明示的シグナリングによって通知されるか、又はプロトコルで予め定義される方式で決められる場合、前記周波数領域範囲又はＢＷＰの大きさは、無線リソース制御シグナリングＲＲＣ  ｓｉｇｎａｌｉｎｇで通知され、又は、前記周波数領域範囲又はＢＷＰの大きさは、初期上り帯域幅部分ｉｎｉｔｉａｌ  ＵＬ  ＢＷＰと同じであり、又は、前記周波数領域範囲又はＢＷＰの大きさは、他の予め定められた値である。
【００６３】
本開示の実施例は、コンピュータプログラムが格納されているコンピュータ読み取り可能な記憶媒体を更に提供する。該プログラムがプロセッサによって実行されると、上記の上りリソース割当方法が実現される。
【００６４】
本開示の実施例は、上りリソース割当装置を更に提供し、競合に基づくランダムアクセスＣＢＲＡプロセスにおけるメッセージ３のリソース割当情報を決定する第１決定モジュールを含む。ここで、前記リソース割当情報は、基地局によって所定規則に基づいて決定されるか、又は基地局によって設定されて端末に通知される。所定規則に基づいてリソース割当情報が決定される場合、前記基地局と前記端末に用いられる所定規則は、同じである。
【００６５】
任意選択で、前記第１決定モジュールは、初期上り帯域幅部分ｉｎｉｔｉａｌ  ＵＬ  ＢＷＰに従って、前記メッセージ３の伝送用ＢＷＰを決定する第１処理サブモジュールを含み、且つ、ここで、端末に対して設定した活性化上り帯域幅部分ａｃｔｉｖｅ  ＵＬ  ＢＷＰは、ｉｎｉｔｉａｌ  ＵＬ  ＢＷＰの全体を含む。
【００６６】
任意選択で、前記第１決定モジュールは、初期上り帯域幅部分ｉｎｉｔｉａｌ  ＵＬ  ＢＷＰと活性化帯域幅部分ａｃｔｉｖｅ  ＢＷＰの設定及び物理ランダムアクセスチャネルＰＲＡＣＨリソースの設定に基づいて、前記メッセージ３のスケジューリング及び送信が存在する周波数領域範囲又はＢＷＰを決定する第１決定サブモジュールを含む。
【００６７】
任意選択で、前記第１決定サブモジュールは、端末に対して、活性化上り帯域幅部分ａｃｔｉｖｅ  ＵＬ  ＢＷＰ内に設定した物理ランダムアクセスチャネルＰＲＡＣＨリソースと、ｉｎｉｔｉａｌ  ＵＬ  ＢＷＰ内に設定したＰＲＡＣＨリソースとは完全に重なり、且つ端末が、ｉｎｉｔｉａｌ  ＵＬ  ＢＷＰ上に設定されたｐｒｅａｍｂｌｅ群に属するプリアンブルｐｒｅａｍｂｌｅを前記ＰＲＡＣＨリソース上で送信する場合、ｉｎｉｔｉａｌ  ＵＬ  ＢＷＰに基づいて前記メッセージ３をスケジューリングする第１処理ユニットを含む。
【００６８】
任意選択で、端末に対して設定したａｃｔｉｖｅ  ＵＬ  ＢＷＰは、ｉｎｉｔｉａｌ  ＵＬ  ＢＷＰの全体を含む。
【００６９】
任意選択で、前記の端末に対して設定したａｃｔｉｖｅ  ＵＬ  ＢＷＰが、ｉｎｉｔｉａｌ  ＵＬ  ＢＷＰの全体を含むことは、具体的には、設定時に、完全に重なるＰＲＡＣＨリソースを有し且つ同じｐｒｅａｍｂｌｅ群の全ての端末に対して設定したａｃｔｉｖｅ  ＵＬ  ＢＷＰは、ｉｎｉｔｉａｌ  ＵＬ  ＢＷＰの全体を含むことである。
【００７０】
任意選択で、前記第１決定サブモジュールは、端末に対して、活性化上り帯域幅部分ａｃｔｉｖｅ  ＵＬ  ＢＷＰ内に設定した物理ランダムアクセスチャネルＰＲＡＣＨリソースと、ｉｎｉｔｉａｌ  ＵＬ  ＢＷＰ内に設定したＰＲＡＣＨリソースとは完全に重なるのではない場合、及び／又は、端末が、ｉｎｉｔｉａｌ  ＵＬ  ＢＷＰ上に設定されたｐｒｅａｍｂｌｅ群に属さないプリアンブルｐｒｅａｍｂｌｅを前記ＰＲＡＣＨリソース上で送信する場合、所定のＢＷＰに従って前記メッセージ３をスケジューリングする第２処理ユニットを更に含む。ここで、前記所定のＢＷＰは、ａｃｔｉｖｅ  ＵＬ  ＢＷＰの最小物理リソースブロックインデックスＰＲＢ  ｉｎｄｅｘから始まり、且つｉｎｉｔｉａｌ  ＵＬ  ＢＷＰと同じ大きさのＢＷＰである。又は、前記所定のＢＷＰは、ａｃｔｉｖｅ  ＵＬ  ＢＷＰである。又は、前記所定のＢＷＰは、端末がｐｒｅａｍｂｌｅを送信するＰＲＡＣＨリソースの最小ＰＲＢ  ｉｎｄｅｘから始まり、ｉｎｉｔｉａｌ  ＵＬ  ＢＷＰと同じ大きさのＢＷＰである。又は、前記所定のＢＷＰは、無線リソース制御シグナリングＲＲＣ  ｓｉｇｎａｌｉｎｇによって指示される特定ＰＲＢ  ｉｎｄｅｘを起点として、ｉｎｉｔｉａｌ  ＵＬ  ＢＷＰと同じ大きさのＢＷＰであり、又は、前記メッセージ３の基地局によるスケジューリング及び前記メッセージ３の端末による送信のためにＲＲＣ  ｓｉｇｎａｌｉｎｇによって指示されるＵＬ  ＢＷＰである。前記ＢＷＰは、ａｃｔｉｖｅ  ＵＬ  ＢＷＰ内に完全に含まれる。
【００７１】
任意選択で、端末に対して設定したａｃｔｉｖｅ  ＵＬ  ＢＷＰは、ｉｎｉｔｉａｌ  ＵＬ  ＢＷＰの全体を含むのではない。
【００７２】
任意選択で、前記第１決定モジュールは、前記メッセージ３のスケジューリング及び送信が存在する周波数領域範囲又は帯域幅部分ＢＷＰを、無線リソース制御シグナリングＲＲＣ  ｓｉｇｎａｌｉｎｇによって端末に通知する第２処理サブモジュールを含む。
【００７３】
任意選択で、物理ランダムアクセスチャネルＰＲＡＣＨリソースの設定及び対応する前記メッセージ３の送信が存在する周波数領域範囲又はＢＷＰの設定を端末に対して行う第１処理モジュールを更に含む。
【００７４】
任意選択で、前記周波数領域範囲又はＢＷＰは、端末の活性化上り帯域幅部分ａｃｔｉｖｅ  ＵＬ  ＢＷＰに含まれる。
【００７５】
任意選択で、異なる端末のために設定する同じＰＲＡＣＨリソースに対して、前記周波数領域範囲又はＢＷＰは、キャリアｃａｒｒｉｅｒ内の位置が同じである。
【００７６】
任意選択で、前記第１決定モジュールは、前記メッセージ３をスケジューリングする際に、所定の周波数領域範囲又は帯域幅部分ＢＷＰに従ってスケジューリングする第３処理サブモジュールを含む。ここで、前記所定の周波数領域範囲又はＢＷＰの大きさは、明示的シグナリングによって通知されるか、又はプロトコルで予め定義される方式で決められ、及び／又は、前記所定の周波数領域範囲又はＢＷＰの開始リソースブロックインデックスＲＢ  ｉｎｄｅｘは、対応するプリアンブルｐｒｅａｍｂｌｅを送信する物理ランダムアクセスチャネルＰＲＡＣＨリソースの最小ＲＢ番号と同一である。ここで、前記所定の周波数領域範囲又はＢＷＰは、完全に端末の活性化上り帯域幅部分ａｃｔｉｖｅ  ＵＬ  ＢＷＰ内に位置する。
【００７７】
任意選択で、前記所定の周波数領域範囲又はＢＷＰの開始リソースブロックインデックスＲＢ  ｉｎｄｅｘが、対応するプリアンブルｐｒｅａｍｂｌｅを送信する物理ランダムアクセスチャネルＰＲＡＣＨリソースの最小ＲＢ番号と同一である場合、ｐｒｅａｍｂｌｅは、基地局による受信に成功し、且つ、対応する応答をランダムアクセス応答ＲＡＲで行うように基地局に指示するｐｒｅａｍｂｌｅである。
【００７８】
任意選択で、前記所定の周波数領域範囲又はＢＷＰの大きさが、明示的シグナリングによって通知されるか、又はプロトコルで予め定義される方式で決められる場合、前記周波数領域範囲又はＢＷＰの大きさは、無線リソース制御シグナリングＲＲＣ  ｓｉｇｎａｌｉｎｇで通知され、又は、前記周波数領域範囲又はＢＷＰの大きさは、初期上り帯域幅部分ｉｎｉｔｉａｌ  ＵＬ  ＢＷＰと同じであり、又は、前記周波数領域範囲又はＢＷＰの大きさは、他の予め定められた値である。
【００７９】
本開示の実施例は、上りリソース割当装置を更に提供し、競合に基づくランダムアクセスＣＢＲＡプロセスにおけるメッセージ３のリソース割当情報を決定する第２決定モジュールを含む。ここで、前記リソース割当情報は、端末によって所定規則に基づいて決定されるか、又は基地局によって設定されて通知される。所定規則に基づいてリソース割当情報が決定される場合、前記基地局と前記端末に用いられる所定規則は、同じである。
【００８０】
任意選択で、前記第２決定モジュールは、初期上り帯域幅部分ｉｎｉｔｉａｌ  ＵＬ  ＢＷＰ内で、ランダムアクセス応答ＲＡＲに運ばれる上りスケジューリンググラントＵＬ  ｇｒａｎｔ情報に基づいて前記メッセージ３を伝送する第４処理サブモジュールを含む。
【００８１】
任意選択で、前記第２決定モジュールは、初期上り帯域幅部分ｉｎｉｔｉａｌ  ＵＬ  ＢＷＰと活性化帯域幅部分ａｃｔｉｖｅ  ＢＷＰの設定及び物理ランダムアクセスチャネルＰＲＡＣＨリソースの設定に基づいて、前記メッセージ３のスケジューリング及び送信が存在する周波数領域範囲又はＢＷＰを決定する第２決定サブモジュールを含む。
【００８２】
任意選択で、前記第２決定サブモジュールは、基地局から端末に対して、活性化上り帯域幅部分ａｃｔｉｖｅ  ＵＬ  ＢＷＰ内に設定した物理ランダムアクセスチャネルＰＲＡＣＨリソースと、ｉｎｉｔｉａｌ  ＵＬ  ＢＷＰ内に設定したＰＲＡＣＨリソースとは完全に重なり、且つ端末が、ｉｎｉｔｉａｌ  ＵＬ  ＢＷＰ上に設定されたｐｒｅａｍｂｌｅ群に属するプリアンブルｐｒｅａｍｂｌｅを前記ＰＲＡＣＨリソース上で送信する場合、前記基地局から送信された上りスケジューリンググラントＵＬ  ｇｒａｎｔ情報に基づいて、ｉｎｉｔｉａｌ  ＢＷＰ内で対応する前記メッセージ３を送信する第３処理ユニットを含む。
【００８３】
任意選択で、ａｃｔｉｖｅ  ＵＬ  ＢＷＰは、ｉｎｉｔｉａｌ  ＵＬ  ＢＷＰの全体を含む。
【００８４】
任意選択で、前記第２決定サブモジュールは、基地局から端末に対して、活性化上り帯域幅部分ａｃｔｉｖｅ  ＵＬ  ＢＷＰ内に設定した物理ランダムアクセスチャネルＰＲＡＣＨリソースと、ｉｎｉｔｉａｌ  ＵＬ  ＢＷＰ内に設定したＰＲＡＣＨリソースとは完全に重なるのではない場合、及び／又は、端末が、ｉｎｉｔｉａｌ  ＵＬ  ＢＷＰ上に設定されたｐｒｅａｍｂｌｅ群に属さないプリアンブルｐｒｅａｍｂｌｅを前記ＰＲＡＣＨリソース上で送信する場合、基地局から送信されたＵＬ  ｇｒａｎｔ情報に基づいて、所定のＢＷＰに従って前記メッセージ３を送信する第４処理ユニットを更に含む。ここで、前記所定のＢＷＰは、ａｃｔｉｖｅ  ＵＬ  ＢＷＰの最小物理リソースブロックインデックスＰＲＢ  ｉｎｄｅｘから始まり、且つｉｎｉｔｉａｌ  ＵＬ  ＢＷＰと同じ大きさのＢＷＰである。又は、前記所定のＢＷＰは、ａｃｔｉｖｅ  ＵＬ  ＢＷＰである。又は、前記所定のＢＷＰは、端末がｐｒｅａｍｂｌｅを送信するＰＲＡＣＨリソースの最小ＰＲＢ  ｉｎｄｅｘから始まり、ｉｎｉｔｉａｌ  ＵＬ  ＢＷＰと同じ大きさのＢＷＰである。又は、前記所定のＢＷＰは、無線リソース制御シグナリングＲＲＣ  ｓｉｇｎａｌｉｎｇによって指示される特定ＰＲＢ  ｉｎｄｅｘを起点として、ｉｎｉｔｉａｌ  ＵＬ  ＢＷＰと同じ大きさのＢＷＰであり、又は、前記メッセージ３の基地局によるスケジューリング及び前記メッセージ３の端末による送信のためにＲＲＣ  ｓｉｇｎａｌｉｎｇによって指示されるＵＬ  ＢＷＰである。前記ＢＷＰは、ａｃｔｉｖｅ  ＵＬ  ＢＷＰ内に完全に含まれる。
【００８５】
任意選択で、基地局から端末に対して設定したａｃｔｉｖｅ  ＵＬ  ＢＷＰは、ｉｎｉｔｉａｌ  ＵＬ  ＢＷＰの全体を含むのではない。
【００８６】
任意選択で、前記第２決定モジュールは、前記メッセージ３のスケジューリング及び送信が存在する周波数領域範囲又は帯域幅部分ＢＷＰを、無線リソース制御シグナリングＲＲＣ  ｓｉｇｎａｌｉｎｇによって決定する第５処理サブモジュールを含む。
【００８７】
任意選択で、前記メッセージ３の送信が存在する周波数領域範囲又はＢＷＰは、基地局から端末に対して物理ランダムアクセスチャネルＰＲＡＣＨリソースを設定する際に対応的に設定される。
【００８８】
任意選択で、前記周波数領域範囲又はＢＷＰは、端末の活性化上り帯域幅部分ａｃｔｉｖｅ  ＵＬ  ＢＷＰに含まれる。
【００８９】
任意選択で、前記第２決定モジュールは、所定の周波数領域範囲又は帯域幅部分ＢＷＰ内で、基地局のスケジューリングに従って前記メッセージ３を送信する第６処理サブモジュールを含む。ここで、前記所定の周波数領域範囲又はＢＷＰの大きさは、明示的シグナリングによって通知されるか、又はプロトコルで予め定義される方式で決められ、及び／又は、前記所定の周波数領域範囲又はＢＷＰの開始リソースブロックインデックスＲＢ  ｉｎｄｅｘは、対応するプリアンブルｐｒｅａｍｂｌｅを送信する物理ランダムアクセスチャネルＰＲＡＣＨリソースの最小ＲＢ番号と同一である。ここで、前記所定の周波数領域範囲又はＢＷＰは、完全に端末の活性化上り帯域幅部分ａｃｔｉｖｅ  ＵＬ  ＢＷＰ内に位置する。
【００９０】
任意選択で、前記所定の周波数領域範囲又はＢＷＰの開始リソースブロックインデックスＲＢ  ｉｎｄｅｘが、対応するプリアンブルｐｒｅａｍｂｌｅを送信する物理ランダムアクセスチャネルＰＲＡＣＨリソースの最小ＲＢ番号と同一である場合、ｐｒｅａｍｂｌｅは、基地局による受信に成功し、且つ、対応する応答をランダムアクセス応答ＲＡＲで行うように基地局に指示するｐｒｅａｍｂｌｅである。
【００９１】
任意選択で、前記所定の周波数領域範囲又はＢＷＰの大きさが、明示的シグナリングによって通知されるか、又はプロトコルで予め定義される方式で決められる場合、前記周波数領域範囲又はＢＷＰの大きさは、無線リソース制御シグナリングＲＲＣ  ｓｉｇｎａｌｉｎｇで通知され、又は、前記周波数領域範囲又はＢＷＰの大きさは、初期上り帯域幅部分ｉｎｉｔｉａｌ  ＵＬ  ＢＷＰと同じであり、又は、前記周波数領域範囲又はＢＷＰの大きさは、他の予め定められた値である。
【発明の効果】
【００９２】
上記技術手段において、前記上りリソース割当方法は、競合に基づくランダムアクセスＣＢＲＡプロセスにおけるメッセージ３のリソース割当情報を決定する。ここで、前記リソース割当情報は、基地局によって所定規則に基づいて決定されるか、又は基地局によって設定されて端末に通知される。所定規則に基づいてリソース割当情報が決定される場合、前記基地局と前記端末に用いられる所定規則は、同じである。よって、明示的シグナリング方式又はプロトコルで予め定義される方式で、ＣＢＲＡプロセスにおけるｍｓｇ３のリソース割当について端末側と基地局側で理解が同じであることを保証し、ｍｓｇ３の送信及び受信に誤りが生じる問題を回避することができる。
【図面の簡単な説明】
【００９３】
【図１】本開示の実施例に係る上りリソース割当方法のフローチャートその１である。
【図２】本開示の実施例に係る上りリソース割当方法のフローチャートその２である。
【図３】本開示の実施例に係る割り当てられた上りリソースその１である。
【図４】本開示の実施例に係る割り当てられた上りリソースその２である。
【図５】本開示の実施例に係る割り当てられた上りリソースその３である。
【図６】本開示の実施例に係る割り当てられた上りリソースその４である。
【図７】本開示の実施例に係る基地局の構造図である。
【図８】本開示の実施例に係る端末の構造図である。
【図９】本開示の実施例に係る上りリソース割当装置の構造図その１である。
【図１０】本開示の実施例に係る上りリソース割当装置の構造図その２である。
【発明を実施するための形態】
【００９４】
本開示の解決しようとする技術課題、技術手段及び利点をより明確にするために、以下、図面及び具体的な実施例を参照しながら詳細に記載する。
【００９５】
本開示は、関連技術のＣＢＲＡプロセスでｍｓｇ３のリソース割当によってｍｓｇ３の送信及び受信に誤りが生じる可能性があるという問題に対し、（基地局に応用される）上りリソース割当方法を提供し、図１に示すように、競合に基づくランダムアクセスＣＢＲＡプロセスにおけるメッセージ３のリソース割当情報を決定するステップ１１を含む。ここで、前記リソース割当情報は、基地局によって所定規則に基づいて決定されるか、又は基地局によって設定されて端末に通知される。所定規則に基づいてリソース割当情報が決定される場合、前記基地局と前記端末に用いられる所定規則は、同じである。
【００９６】
本開示の実施例に係る前記上りリソース割当方法は、競合に基づくランダムアクセスＣＢＲＡプロセスにおけるメッセージ３のリソース割当情報を決定する。ここで、前記リソース割当情報は、基地局によって所定規則に基づいて決定されるか、又は基地局によって設定されて端末に通知される。所定規則に基づいてリソース割当情報が決定される場合、前記基地局と前記端末に用いられる所定規則は、同じである。よって、明示的シグナリング方式又はプロトコルで予め定義される方式で、ＣＢＲＡプロセスにおけるｍｓｇ３のリソース割当について端末側と基地局側で理解が同じであることを保証し、ｍｓｇ３の送信及び受信に誤りが生じる問題を回避することができる。
【００９７】
本開示の実施例において、ステップ１１について以下の４種類の例を挙げるが、それらに限定されない。
【００９８】
例１：前記の競合に基づくランダムアクセスＣＢＲＡプロセスにおけるメッセージ３のリソース割当情報を決定するステップは、初期上り帯域幅部分ｉｎｉｔｉａｌ  ＵＬ  ＢＷＰに従って、前記メッセージ３の伝送用ＢＷＰを決定するステップを含み、且つ、端末に対して設定した活性化上り帯域幅部分ａｃｔｉｖｅ  ＵＬ  ＢＷＰは、ｉｎｉｔｉａｌ  ＵＬ  ＢＷＰの全体を含む。
【００９９】
例２：前記の競合に基づくランダムアクセスＣＢＲＡプロセスにおけるメッセージ３のリソース割当情報を決定するステップは、初期上り帯域幅部分ｉｎｉｔｉａｌ  ＵＬ  ＢＷＰと活性化帯域幅部分ａｃｔｉｖｅ  ＢＷＰの設定及び物理ランダムアクセスチャネルＰＲＡＣＨリソースの設定に基づいて、前記メッセージ３のスケジューリング及び送信が存在する周波数領域範囲又はＢＷＰを決定するステップを含む。
【０１００】
ここで、前記の初期上り帯域幅部分ｉｎｉｔｉａｌ  ＵＬ  ＢＷＰと活性化帯域幅部分ａｃｔｉｖｅ  ＢＷＰの設定及び物理ランダムアクセスチャネルＰＲＡＣＨリソースの設定に基づいて、前記メッセージ３のスケジューリング及び送信が存在する周波数領域範囲又はＢＷＰを決定するステップは、端末に対して、活性化上り帯域幅部分ａｃｔｉｖｅ  ＵＬ  ＢＷＰ内に設定した物理ランダムアクセスチャネルＰＲＡＣＨリソースと、ｉｎｉｔｉａｌ  ＵＬ  ＢＷＰ内に設定したＰＲＡＣＨリソースとは完全に重なり、且つ端末が、ｉｎｉｔｉａｌ  ＵＬ  ＢＷＰ上に設定されたｐｒｅａｍｂｌｅ群に属するプリアンブルｐｒｅａｍｂｌｅを前記ＰＲＡＣＨリソース上で送信する場合、ｉｎｉｔｉａｌ  ＵＬ  ＢＷＰに基づいて前記メッセージ３をスケジューリングするステップを含む。具体的には、端末に対して設定したａｃｔｉｖｅ  ＵＬ  ＢＷＰは、ｉｎｉｔｉａｌ  ＵＬ  ＢＷＰの全体を含む。
【０１０１】
より具体的には、前記の端末に対して設定したａｃｔｉｖｅ  ＵＬ  ＢＷＰが、ｉｎｉｔｉａｌ  ＵＬ  ＢＷＰの全体を含むことは、具体的には、設定時に、完全に重なるＰＲＡＣＨリソースを有し且つ同じｐｒｅａｍｂｌｅ群の全ての端末に対して設定したａｃｔｉｖｅ  ＵＬ  ＢＷＰは、ｉｎｉｔｉａｌ  ＵＬ  ＢＷＰの全体を含むことである。
【０１０２】
更に、前記の初期上り帯域幅部分ｉｎｉｔｉａｌ  ＵＬ  ＢＷＰと活性化帯域幅部分ａｃｔｉｖｅ  ＢＷＰの設定及び物理ランダムアクセスチャネルＰＲＡＣＨリソースの設定に基づいて、前記メッセージ３のスケジューリング及び送信が存在する周波数領域範囲又はＢＷＰを決定するステップは、端末に対して、活性化上り帯域幅部分ａｃｔｉｖｅ  ＵＬ  ＢＷＰ内に設定した物理ランダムアクセスチャネルＰＲＡＣＨリソースと、ｉｎｉｔｉａｌ  ＵＬ  ＢＷＰ内に設定したＰＲＡＣＨリソースとは完全に重なるのではない場合、及び／又は、端末が、ｉｎｉｔｉａｌ  ＵＬ  ＢＷＰ上に設定されたｐｒｅａｍｂｌｅ群に属さないプリアンブルｐｒｅａｍｂｌｅを前記ＰＲＡＣＨリソース上で送信する場合、所定のＢＷＰに従って前記メッセージ３をスケジューリングするステップを更に含み、ここで、前記所定のＢＷＰは、ａｃｔｉｖｅ  ＵＬ  ＢＷＰの最小物理リソースブロックインデックスＰＲＢ（Ｐｈｙｓｉｃａｌ  Ｒｅｓｏｕｒｃｅ  Ｂｌｏｃｋ）  ｉｎｄｅｘから始まり、且つｉｎｉｔｉａｌ  ＵＬ  ＢＷＰと同じ大きさのＢＷＰである。又は、前記所定のＢＷＰは、ａｃｔｉｖｅ  ＵＬ  ＢＷＰである。又は、前記所定のＢＷＰは、端末がｐｒｅａｍｂｌｅを送信するＰＲＡＣＨリソースの最小ＰＲＢ  ｉｎｄｅｘから始まり、ｉｎｉｔｉａｌ  ＵＬ  ＢＷＰと同じ大きさのＢＷＰである。又は、前記所定のＢＷＰは、無線リソース制御シグナリングＲＲＣ（Ｒａｄｉｏ  Ｒｅｓｏｕｒｃｅ  Ｃｏｎｔｒｏｌ）  ｓｉｇｎａｌｉｎｇによって指示される特定ＰＲＢ  ｉｎｄｅｘを起点として、ｉｎｉｔｉａｌ  ＵＬ  ＢＷＰと同じ大きさのＢＷＰであり、又は、前記メッセージ３の基地局によるスケジューリング及び前記メッセージ３の端末による送信のためにＲＲＣ  ｓｉｇｎａｌｉｎｇによって指示されるＵＬ  ＢＷＰである。前記ＢＷＰは、ａｃｔｉｖｅ  ＵＬ  ＢＷＰ内に完全に含まれる。具体的には、端末に対して設定したａｃｔｉｖｅ  ＵＬ  ＢＷＰは、ｉｎｉｔｉａｌ  ＵＬ  ＢＷＰの全体を含むのではない。
【０１０３】
例３：前記の競合に基づくランダムアクセスＣＢＲＡプロセスにおけるメッセージ３のリソース割当情報を決定するステップは、前記メッセージ３のスケジューリング及び送信が存在する周波数領域範囲又は帯域幅部分ＢＷＰを、無線リソース制御シグナリングＲＲＣ  ｓｉｇｎａｌｉｎｇによって端末に通知するステップを含む。
【０１０４】
更に、前記上りリソース割当方法は、物理ランダムアクセスチャネルＰＲＡＣＨリソースの設定及び対応する前記メッセージ３の送信が存在する周波数領域範囲又はＢＷＰの設定を端末に対して行うステップを更に含む。
【０１０５】
ここで、前記周波数領域範囲又はＢＷＰは、端末の活性化上り帯域幅部分ａｃｔｉｖｅ  ＵＬ  ＢＷＰに含まれる。
【０１０６】
具体的には、異なる端末のために設定する同じＰＲＡＣＨリソースに対して、前記周波数領域範囲又はＢＷＰは、キャリアｃａｒｒｉｅｒ内の位置が同じである。
【０１０７】
例４：前記の競合に基づくランダムアクセスＣＢＲＡプロセスにおけるメッセージ３のリソース割当情報を決定するステップは、前記メッセージ３をスケジューリングする際に、所定の周波数領域範囲又は帯域幅部分ＢＷＰに従ってスケジューリングするステップを含む。ここで、前記所定の周波数領域範囲又はＢＷＰの大きさは、明示的シグナリングによって通知されるか、又はプロトコルで予め定義される方式で決められ、及び／又は、前記所定の周波数領域範囲又はＢＷＰの開始リソースブロックインデックスＲＢ  ｉｎｄｅｘは、対応するプリアンブルｐｒｅａｍｂｌｅを送信する物理ランダムアクセスチャネルＰＲＡＣＨリソースの最小ＲＢ番号と同一である。ここで、前記所定の周波数領域範囲又はＢＷＰは、完全に端末の活性化上り帯域幅部分ａｃｔｉｖｅ  ＵＬ  ＢＷＰ内に位置する。
【０１０８】
具体的には、前記所定の周波数領域範囲又はＢＷＰの開始リソースブロックインデックスＲＢ（Ｒｅｓｏｕｒｃｅ  Ｂｌｏｃｋ）  ｉｎｄｅｘが、対応するプリアンブルｐｒｅａｍｂｌｅを送信する物理ランダムアクセスチャネルＰＲＡＣＨリソースの最小ＲＢ番号と同一である場合、ｐｒｅａｍｂｌｅは、基地局による受信に成功し、且つ、対応する応答をランダムアクセス応答ＲＡＲで行うように基地局に指示するｐｒｅａｍｂｌｅである。
【０１０９】
前記所定の周波数領域範囲又はＢＷＰの大きさが、明示的シグナリングによって通知されるか、又はプロトコルで予め定義される方式で決められる場合、前記周波数領域範囲又はＢＷＰの大きさは、無線リソース制御シグナリングＲＲＣ  ｓｉｇｎａｌｉｎｇで通知され、又は、前記周波数領域範囲又はＢＷＰの大きさは、初期上り帯域幅部分ｉｎｉｔｉａｌ  ＵＬ  ＢＷＰと同じであり、又は、前記周波数領域範囲又はＢＷＰの大きさは、他の予め定められた値である。
【０１１０】
本開示の実施例は、（端末に応用される）上りリソース割当方法を更に提供し、図２に示すように、競合に基づくランダムアクセスＣＢＲＡプロセスにおけるメッセージ３のリソース割当情報を決定するステップ２１を含む。ここで、前記リソース割当情報は、端末によって所定規則に基づいて決定されるか、又は基地局によって設定されて通知される。所定規則に基づいてリソース割当情報が決定される場合、前記基地局と前記端末に用いられる所定規則は、同じである。
【０１１１】
本開示の実施例に係る前記上りリソース割当方法は、競合に基づくランダムアクセスＣＢＲＡプロセスにおけるメッセージ３のリソース割当情報を決定する。ここで、前記リソース割当情報は、端末によって所定規則に基づいて決定されるか、又は基地局によって設定されて通知される。所定規則に基づいてリソース割当情報が決定される場合、前記基地局と前記端末に用いられる所定規則は、同じである。よって、明示的シグナリング方式又はプロトコルで予め定義される方式で、ＣＢＲＡプロセスにおけるｍｓｇ３のリソース割当について端末側と基地局側で理解が同じであることを保証し、ｍｓｇ３の送信及び受信に誤りが生じる問題を回避することができる。
【０１１２】
本開示の実施例において、ステップ２１について以下の４種類の例（上記ステップ１１の４種類の例に対応する）を挙げるが、それらに限定されない。
【０１１３】
例１：前記の競合に基づくランダムアクセスＣＢＲＡプロセスにおけるメッセージ３のリソース割当情報を決定するステップは、初期上り帯域幅部分ｉｎｉｔｉａｌ  ＵＬ  ＢＷＰ内で、ランダムアクセス応答ＲＡＲに運ばれる上りスケジューリンググラントＵＬ  ｇｒａｎｔ情報に基づいて前記メッセージ３を伝送するステップを含む。
【０１１４】
例２：前記の競合に基づくランダムアクセスＣＢＲＡプロセスにおけるメッセージ３のリソース割当情報を決定するステップは、初期上り帯域幅部分ｉｎｉｔｉａｌ  ＵＬ  ＢＷＰと活性化帯域幅部分ａｃｔｉｖｅ  ＢＷＰの設定及び物理ランダムアクセスチャネルＰＲＡＣＨリソースの設定に基づいて、前記メッセージ３のスケジューリング及び送信が存在する周波数領域範囲又はＢＷＰを決定するステップを含む。
【０１１５】
ここで、前記の初期上り帯域幅部分ｉｎｉｔｉａｌ  ＵＬ  ＢＷＰと活性化帯域幅部分ａｃｔｉｖｅ  ＢＷＰの設定及び物理ランダムアクセスチャネルＰＲＡＣＨリソースの設定に基づいて、前記メッセージ３のスケジューリング及び送信が存在する周波数領域範囲又はＢＷＰを決定するステップは、基地局から端末に対して、活性化上り帯域幅部分ａｃｔｉｖｅ  ＵＬ  ＢＷＰ内に設定した物理ランダムアクセスチャネルＰＲＡＣＨリソースと、ｉｎｉｔｉａｌ  ＵＬ  ＢＷＰ内に設定したＰＲＡＣＨリソースとは完全に重なり、且つ端末が、ｉｎｉｔｉａｌ  ＵＬ  ＢＷＰ上に設定されたｐｒｅａｍｂｌｅ群に属するプリアンブルｐｒｅａｍｂｌｅを前記ＰＲＡＣＨリソース上で送信する場合、前記基地局から送信された上りスケジューリンググラントＵＬ  ｇｒａｎｔ情報に基づいて、ｉｎｉｔｉａｌ  ＢＷＰ内で対応する前記メッセージ３を送信するステップを含む。具体的には任意選択で、ａｃｔｉｖｅ  ＵＬ  ＢＷＰは、ｉｎｉｔｉａｌ  ＵＬ  ＢＷＰの全体を含む。
【０１１６】
更に、前記の初期上り帯域幅部分ｉｎｉｔｉａｌ  ＵＬ  ＢＷＰと活性化帯域幅部分ａｃｔｉｖｅ  ＢＷＰの設定及び物理ランダムアクセスチャネルＰＲＡＣＨリソースの設定に基づいて、前記メッセージ３のスケジューリング及び送信が存在する周波数領域範囲又はＢＷＰを決定するステップは、基地局から端末に対して、活性化上り帯域幅部分ａｃｔｉｖｅ  ＵＬ  ＢＷＰ内に設定した物理ランダムアクセスチャネルＰＲＡＣＨリソースと、ｉｎｉｔｉａｌ  ＵＬ  ＢＷＰ内に設定したＰＲＡＣＨリソースとは完全に重なるのではない場合、及び／又は、端末が、ｉｎｉｔｉａｌ  ＵＬ  ＢＷＰ上に設定されたｐｒｅａｍｂｌｅ群に属さないプリアンブルｐｒｅａｍｂｌｅを前記ＰＲＡＣＨリソース上で送信する場合、基地局から送信されたＵＬ  ｇｒａｎｔ情報に基づいて、所定のＢＷＰに従って前記メッセージ３を送信するステップを更に含み、ここで、前記所定のＢＷＰは、ａｃｔｉｖｅ  ＵＬ  ＢＷＰの最小物理リソースブロックインデックスＰＲＢ  ｉｎｄｅｘから始まり、且つｉｎｉｔｉａｌ  ＵＬ  ＢＷＰと同じ大きさのＢＷＰである。又は、前記所定のＢＷＰは、ａｃｔｉｖｅ  ＵＬ  ＢＷＰである。又は、前記所定のＢＷＰは、端末がｐｒｅａｍｂｌｅを送信するＰＲＡＣＨリソースの最小ＰＲＢ  ｉｎｄｅｘから始まり、ｉｎｉｔｉａｌ  ＵＬ  ＢＷＰと同じ大きさのＢＷＰである。又は、前記所定のＢＷＰは、無線リソース制御シグナリングＲＲＣ  ｓｉｇｎａｌｉｎｇによって指示される特定ＰＲＢ  ｉｎｄｅｘを起点として、ｉｎｉｔｉａｌ  ＵＬ  ＢＷＰと同じ大きさのＢＷＰであり、又は、前記メッセージ３の基地局によるスケジューリング及び前記メッセージ３の端末による送信のためにＲＲＣ  ｓｉｇｎａｌｉｎｇによって指示されるＵＬ  ＢＷＰである。前記ＢＷＰは、ａｃｔｉｖｅ  ＵＬ  ＢＷＰ内に完全に含まれる。具体的には、基地局から端末に対して設定したａｃｔｉｖｅ  ＵＬ  ＢＷＰは、ｉｎｉｔｉａｌ  ＵＬ  ＢＷＰの全体を含むのではない。
【０１１７】
例３：前記の競合に基づくランダムアクセスＣＢＲＡプロセスにおけるメッセージ３のリソース割当情報を決定するステップは、前記メッセージ３のスケジューリング及び送信が存在する周波数領域範囲又は帯域幅部分ＢＷＰを、無線リソース制御シグナリングＲＲＣ  ｓｉｇｎａｌｉｎｇによって決定するステップを含む。
【０１１８】
ここで、前記メッセージ３の送信が存在する周波数領域範囲又はＢＷＰは、基地局から端末に対して物理ランダムアクセスチャネルＰＲＡＣＨリソースを設定する際に対応的に設定される。
【０１１９】
具体的には、前記周波数領域範囲又はＢＷＰは、端末の活性化上り帯域幅部分ａｃｔｉｖｅ  ＵＬ  ＢＷＰに含まれる。
【０１２０】
例４：前記の競合に基づくランダムアクセスＣＢＲＡプロセスにおけるメッセージ３のリソース割当情報を決定するステップは、所定の周波数領域範囲又は帯域幅部分ＢＷＰ内で、基地局のスケジューリングに従って前記メッセージ３を送信するステップを含む。ここで、前記所定の周波数領域範囲又はＢＷＰの大きさは、明示的シグナリングによって通知されるか、又はプロトコルで予め定義される方式で決められ、及び／又は、前記所定の周波数領域範囲又はＢＷＰの開始リソースブロックインデックスＲＢ  ｉｎｄｅｘは、対応するプリアンブルｐｒｅａｍｂｌｅを送信する物理ランダムアクセスチャネルＰＲＡＣＨリソースの最小ＲＢ番号と同一であり、ここで、前記所定の周波数領域範囲又はＢＷＰは、完全に端末の活性化上り帯域幅部分ａｃｔｉｖｅ  ＵＬ  ＢＷＰ内に位置する。
【０１２１】
具体的には、前記所定の周波数領域範囲又はＢＷＰの開始リソースブロックインデックスＲＢ  ｉｎｄｅｘが、対応するプリアンブルｐｒｅａｍｂｌｅを送信する物理ランダムアクセスチャネルＰＲＡＣＨリソースの最小ＲＢ番号と同一である場合、ｐｒｅａｍｂｌｅは、基地局による受信に成功し、且つ、対応する応答をランダムアクセス応答ＲＡＲで行うように基地局に指示するｐｒｅａｍｂｌｅである。
【０１２２】
前記所定の周波数領域範囲又はＢＷＰの大きさが、明示的シグナリングによって通知されるか、又はプロトコルで予め定義される方式で決められる場合、前記周波数領域範囲又はＢＷＰの大きさは、無線リソース制御シグナリングＲＲＣ  ｓｉｇｎａｌｉｎｇで通知され、又は、前記周波数領域範囲又はＢＷＰの大きさは、初期上り帯域幅部分ｉｎｉｔｉａｌ  ＵＬ  ＢＷＰと同じであり、又は、前記周波数領域範囲又はＢＷＰの大きさは、他の予め定められた値である。
【０１２３】
以下、基地局と端末の両方から、本開示の実施例に係る前記上りリソース割当方法を更に説明する。
【０１２４】
上記の技術課題に対して、本開示の実施例は、上りリソース割当方法を提供し、主に、競合に基づくランダムアクセス（ＣＢＲＡ）プロセスにおけるｍｓｇ３のリソース割当について端末側と基地局側の理解が同じであることを明示的シグナリング又はプロトコルで予め定義する方式で保証する。本開示の実施例において、以下の４種類の具体的な実現方法を提供するが、これらに限定されない。
【０１２５】
方法１：基地局は、常に初期上り帯域幅部分（ｉｎｉｔｉａｌ  ＵＬ  ＢＷＰ）に従ってｍｓｇ３の伝送用ＢＷＰを決定し、端末は、ＲＡＲに運ばれたＵＬ  ｇｒａｎｔに基づいて、ｉｎｉｔｉａｌ  ＵＬ  ＢＷＰ内でｍｓｇ３を検出して受信する。
【０１２６】
ここで、基地局は、基地局から端末に対して設定した（ｉｎｉｔｉａｌ  ＵＬ  ＢＷＰ）が常に端末のａｃｔｉｖｅ  ＵＬ  ＢＷＰに含まれることを保証する必要がある。
【０１２７】
方法２：基地局と端末は、ｉｎｉｔｉａｌ  ＵＬ  ＢＷＰとａｃｔｉｖｅ  ＢＷＰの設定及びＰＲＡＣＨリソースの設定（端末が自身のものを知っていればよい）に基づいて、ｍｓｇ３スケジューリング及び送信が存在する周波数領域範囲又はＢＷＰを決定する。
【０１２８】
ここで、（１）上述した設定が以下の条件を満たす場合、基地局は、ｉｎｉｔｉａｌ  ＵＬ  ＢＷＰに基づいてｍｓｇ３をスケジューリングし、且つ端末は、基地局から送信されたＵＬ  ｇｒａｎｔに基づいて、対応するｍｓｇ３をｉｎｉｔｉａｌ  ＢＷＰ内で送信する。条件１として、基地局から端末に対してａｃｔｉｖｅ  ＵＬ  ＢＷＰ内に設定したＰＲＡＣＨリソース（時間領域リソース、周波数領域リソース、ｐｒｅａｍｂｌｅリソースなどを含む）と、ｉｎｉｔｉａｌ  ＵＬ  ＢＷＰ内に設定したＰＲＡＣＨリソースとは完全に重なる。且つ、条件２として、端末は、上述したＰＲＡＣＨリソース上でｐｒｅａｍｂｌｅを送信し、前記ｐｒｅａｍｂｌｅは、ｉｎｉｔｉａｌ  ＵＬ  ＢＷＰに設定されたｐｒｅａｍｂｌｅ群に属する。
【０１２９】
任意選択で、基地局から端末に対して設定するａｃｔｉｖｅ  ＵＬ  ＢＷＰは、ｉｎｉｔｉａｌ  ＵＬ  ＢＷＰを完全に含む。具体的には、基地局側は、設定時に、完全に重なるＰＲＡＣＨリソースを有し且つ同じｐｒｅａｍｂｌｅ  ｇｒｏｕｐの全ての端末に設定されたａｃｔｉｖｅ  ＵＬ  ＢＷＰがｉｎｉｔｉａｌ  ＵＬ  ＢＷＰを完全に含むことを保証するべきである。
（２）そうでない場合（上述した設定が以上の少なくとも１つの条件を満たない場合や、上述した設定が以上の少なくとも１つの条件を満たさず、且つ基地局から端末に対して設定したａｃｔｉｖｅ  ＵＬ  ＢＷＰがｉｎｉｔｉａｌ  ＵＬ  ＢＷＰの全体を含むのではない場合）、基地局は、特定のＢＷＰサイズ及びＢＷＰ位置に従ってｍｓｇ３をスケジューリングし、端末は、基地局から送信されたＵＬ  ｇｒａｎｔに基づいて、特定のＢＷＰサイズ及びＢＷＰ位置に従ってｍｓｇ３を送信する。
【０１３０】
ここで、前記特定のＢＷＰサイズ及びＢＷＰ位置について、基地局及び端末は、同じ理解を有する。前記特定のＢＷＰは、ａｃｔｉｖｅ  ＵＬ  ＢＷＰの最小ＰＲＢ  ｉｎｄｅｘから始まり、且つ大きさがｉｎｉｔｉａｌ  ＵＬ  ＢＷＰのＢＷＰである。又は、前記特定のＢＷＰは、ａｃｔｉｖｅ  ＵＬ  ＢＷＰである。又は、前記特定のＢＷＰは、端末がｐｒｅａｍｂｌｅを送信するＰＲＡＣＨリソースの最小ＰＲＢ  ｉｎｄｅｘから始まり、大きさがｉｎｉｔｉａｌ  ＵＬ  ＢＷＰのＢＷＰである。又は、前記特定のＢＷＰは、ＲＲＣ  ｓｉｇｎａｌｉｎｇによって指示される特定ＰＲＢ  ｉｎｄｅｘを起点として、ｉｎｉｔｉａｌ  ＵＬ  ＢＷＰと同じ大きさのＢＷＰであり、又は、基地局によるｍｓｇ３のスケジューリング及び端末によるｍｓｇ３の送信のために無線リソース制御シグナリング（ＲＲＣ  ｓｉｇｎａｌｉｎｇ）によって指示されるＵＬ  ＢＷＰである。ここで、前記ＢＷＰは、ａｃｔｉｖｅ  ＵＬ  ＢＷＰ内に完全に含まれるべきである。
【０１３１】
方法３：ＲＲＣ  ｓｉｇｎａｌｉｎｇでｍｓｇ３スケジューリング及び送信の周波数領域範囲又はＢＷＰを通知する（基地局は、追加のシグナリング、即ちＲＲＣ  ｓｉｇｎａｌｉｎｇで端末に前もってリソースを通知し、その後、基地局は、通知されたリソースでスケジューリングし、端末は、通知されたリソースで送信する）。
【０１３２】
具体的には、基地局は、端末に対して、物理ランダムアクセスチャネルＰＲＡＣＨリソースを設定し、対応する前記メッセージ３の送信が存在する周波数領域範囲又はｍｓｇ３−ＢＷＰを設定する。ここで、前記周波数領域範囲又はｍｓｇ３−ＢＷＰは、端末のａｃｔｉｖｅ  ＵＬ  ＢＷＰに含まれる。異なる端末のために設定された同じＰＲＡＣＨリソース（時間領域リソース、周波数領域リソース、ｐｒｅａｍｂｌｅ  ｇｒｏｕｐなどを含む）について、前記周波数領域範囲又はｍｓｇ３−ＢＷＰのｃａｒｒｉｅｒ（搬送波）内での位置は、同じである。
【０１３３】
基地局は、端末から送信されたｐｒｅａｍｂｌｅを受信すると、上述した設定に基づいて、前記ｍｓｇ３の送信の周波数領域範囲又はｍｓｇ３−ＢＷＰ内でｍｓｇ３をスケジューリングする。端末は、ＲＡＲに運ばれるＵＬ  ｇｒａｎｔを基地局から受信すると、前記設定された周波数領域範囲又はｍｓｇ３−ＢＷＰ内でスケジューリング情報に基づいてｍｓｇ３を送信する。
【０１３４】
方法４：基地局は、ｍｓｇ３をスケジューリングする際に、特定の周波数領域範囲又はＢＷＰでスケジューリングを行い、端末は、前記特定の周波数領域範囲又はＢＷＰ内で、基地局のスケジューリング情報に従ってｍｓｇ３を送信する。
【０１３５】
（１）前記特定の周波数領域範囲又はＢＷＰサイズは、明示的シグナリングによって通知されるか、プロトコルで予め定義される方式で決定される。前記周波数領域範囲又はＢＷＰの大きさは、ＲＲＣ  ｓｉｇｎａｌｉｎｇで通知される。又は、前記周波数領域範囲又はＢＷＰの大きさは、ｉｎｉｔｉａｌ  ＵＬ  ＢＷＰと同一である。又は、前記周波数領域範囲又はＢＷＰの大きさは、他の予め定められた値である。
【０１３６】
（２）前記特定の周波数領域範囲又はＢＷＰの開始ＲＢ  ｉｎｄｅｘは、対応するｐｒｅａｍｂｌｅを送信するＰＲＡＣＨリソースの最小ＲＢ番号と同一である。前記対応するｐｒｅａｍｂｌｅは、基地局が受信に成功し、且つＲＡＲでの応答が必要なｐｒｅａｍｂｌｅである。
【０１３７】
本方法では、前記特定の周波数領域範囲又はＢＷＰは、完全に端末のａｃｔｉｖｅ  ＵＬ  ＢＷＰ内に位置する。
【０１３８】
以下では、本開示の実施例に係る上記４種類の具体的な実現方法について例示する。
【０１３９】
例１（上記方法１に対応する）：
基地局は、常にｉｎｉｔｉａｌ  ＵＬ  ＢＷＰに従ってｍｓｇ３の伝送用ＢＷＰを決定し、端末は、ＲＡＲに運ばれらＵＬ  ｇｒａｎｔに基づいて、ｉｎｉｔｉａｌ  ＵＬ  ＢＷＰ内でｍｓｇ３を検出して受信する。基地局は、端末にａｃｔｉｖｅ  ＵＬ  ＢＷＰを設定する場合、ａｃｔｉｖｅ  ＵＬ  ＢＷＰ毎にｉｎｉｔｉａｌ  ＵＬ  ＢＷＰが含まれることを保証する必要がある。
【０１４０】
基地局は、端末に対してＢＷＰ１〜ＢＷＰ４の４つのａｃｔｉｖｅ  ＵＬ  ＢＷＰを設定したとする。この場合、ＢＷＰ１〜４は、いずれもｉｎｉｔｉａｌ  ＵＬ  ＢＷＰを完全に含む。端末がどのａｃｔｉｖｅ  ＵＬ  ＢＷＰ内でランダムアクセスを開始しても、基地局は、ｉｎｉｔｉａｌ  ＵＬ  ＢＷＰ内でｍｓｇ３の伝送リソースを割り当てる。もちろん、本実施例は、ｐｒｅａｍｂｌｅの送信が存在するＢＷＰについて限定しない。即ち、ｐｒｅａｍｂｌｅは、ｇＮＢ（基地局）によって設定された現在ａｃｔｉｖｅ  ＵＬ  ＢＷＰ内にあるＰＲＡＣＨリソース位置で送信される。
【０１４１】
例２（上記方法２に対応する）：
端末が接続状態にあり、基地局から端末に対して設定するａｃｔｉｖｅ  ＵＬ  ＢＷＰがＢＷＰ１であるとする。
【０１４２】
前記基地局によって設定されるａｃｔｉｖｅ  ＵＬ  ＢＷＰがｉｎｉｔｉａｌ  ＵＬ  ＢＷＰを完全に含み、且つ基地局が前記ａｃｔｉｖｅ  ＵＬ  ＢＷＰ内に設定するＰＲＡＣＨリソース（前記ＰＲＡＣＨリソースは、周波数領域リソース、時間領域リソース、コード領域リソースなどを含む）とｉｎｉｔｉａｌ  ＵＬ  ＢＷＰ内のＰＲＡＣＨリソースと完全に重なると仮定すると、基地局は、前記ＰＲＡＣＨリソース上で対応するｐｒｅａｍｂｌｅを受信すると、ランダムアクセス応答ＲＡＲにｍｓｇ３のスケジューリング情報を運ぶ（具体的には、ｍｓｇ３を伝送するリソースは、ＲＡＲに運ばれるＵＬ  ｇｒａｎｔによって指示される）。前記スケジューリング情報は、ｉｎｉｔｉａｌ  ＵＬ  ＢＷＰに基づいてｍｓｇ３の送信をスケジューリングし、端末は、前記スケジューリング情報を受信すると、ｉｎｉｔｉａｌ  ＵＬ  ＢＷＰ内でｍｓｇ３を送信する。図３に示すように、リソース割当は、以下の条件を満たす。
１）基地局から端末に対して設定されたａｃｔｉｖｅ  ＵＬ  ＢＷＰは、ｉｎｉｔｉａｌ  ＵＬ  ＢＷＰを完全に含む。且つ、
２）基地局から端末に対してａｃｔｉｖｅ  ＵＬ  ＢＷＰ内に設定するＰＲＡＣＨリソース（時間領域リソース、周波数領域リソース、ｐｒｅａｍｂｌｅリソースなどを含む）と、ｉｎｉｔｉａｌ  ＵＬ  ＢＷＰ内に設定するＰＲＡＣＨリソースとは、完全に重なる。且つ、
３）端末は、上述したＰＲＡＣＨリソース上でｐｒｅａｍｂｌｅを送信する。前記ｐｒｅａｍｂｌｅは、ｉｎｉｔｉａｌ  ＵＬ  ＢＷＰに設定されたｐｒｅａｍｂｌｅ群に属する。
【０１４３】
そうでない場合（リソース割当は、上記少なくとも１つの条件を満たさない場合、又はリソース割当は、上記少なくとも１つの条件を満たさず、且つ基地局から端末に対して設定するａｃｔｉｖｅ  ＵＬ  ＢＷＰがｉｎｉｔｉａｌ  ＵＬ  ＢＷＰの全体を含むのではない）、基地局は、特定のＢＷＰサイズ及びＢＷＰ位置に従ってｍｓｇ３をスケジューリングし、端末は、基地局から送信されるＵＬ  ｇｒａｎｔに基づいて、特定のＢＷＰサイズ及びＢＷＰ位置に従ってｍｓｇ３を送信する。
【０１４４】
前記基地局によって設定されたａｃｔｉｖｅ  ＵＬ  ＢＷＰがｉｎｉｔｉａｌ  ＵＬ  ＢＷＰを完全に含むのではなく（即ち、基地局から端末に対して設定したａｃｔｉｖｅ  ＵＬ  ＢＷＰがｉｎｉｔｉａｌ  ＵＬ  ＢＷＰの全体を含むのではない）、且つ基地局が前記ａｃｔｉｖｅ  ＵＬ  ＢＷＰ内に設定するＰＲＡＣＨリソース（前記ＰＲＡＣＨリソースは、周波数領域リソース、時間領域リソース、コード領域リソースなどを含む）と、ｉｎｉｔｉａｌ  ＵＬ  ＢＷＰ内のＰＲＡＣＨリソースと完全に重なるのではないと仮定すると、基地局は、特定のＢＷＰサイズ及びＢＷＰ位置に従ってｍｓｇ３をスケジューリングし、端末は、基地局から送信されたＵＬ  ｇｒａｎｔに従って、特定のＢＷＰサイズ及びＢＷＰ位置に従ってｍｓｇ３を送信する。前記特定のＢＷＰサイズ及びＢＷＰ位置は、例えば下記ａ〜ｄのように、異なる方法によって決定される。
ａ．前記特定のＢＷＰは、ａｃｔｉｖｅ  ＵＬ  ＢＷＰの最小ＰＲＢ  ｉｎｄｅｘから始まり、且つ大きさがｉｎｉｔｉａｌ  ＵＬ  ＢＷＰのＢＷＰである。
ｂ．前記特定のＢＷＰは、現在ａｃｔｉｖｅ  ＵＬ  ＢＷＰである。
ｃ．前記特定のＢＷＰは、端末がｐｒｅａｍｂｌｅを送信するＰＲＡＣＨリソースの最小ＰＲＢ  ｉｎｄｅｘから始まり、大きさがｉｎｉｔｉａｌ  ＵＬ  ＢＷＰのＢＷＰである。
ｄ．前記特定のＢＷＰは、ＲＲＣ  ｓｉｇｎａｌｉｎｇによって指示される特定ＰＲＢ  ｉｎｄｅｘを起点として、ｉｎｉｔｉａｌ  ＵＬ  ＢＷＰと同じ大きさのＢＷＰであり、又は基地局によるｍｓｇ３のスケジューリング及び端末によるｍｓｇ３の送信のためにＲＲＣ  ｓｉｇｎａｌｉｎｇによって指示されるＵＬ  ＢＷＰである。ここで、前記ＢＷＰは、ａｃｔｉｖｅ  ＵＬ  ＢＷＰ内に完全に含まれるべきである。基地局が前記ＲＲＣ  ｓｉｇｎａｌｉｎｇを設定しない場合、基地局及び端末は、例えば上述した方法（即ち、本方法と並列の「又は」関係にある上述した３つの方法ａ、ｂ、ｃ）のように、ｍｓｇ３のリソース割当をデフォルト方式で割り当て、理解する。
【０１４５】
具体的には、（ａ）図４に示すように、ｍｓｇ３特定伝送のＢＷＰ又は周波数領域位置の開始位置は、ａｃｔｉｖｅ  ＵＬ  ＢＷＰであり、且つ大きさがｉｎｉｔｉａｌ  ＵＬ  ＢＷＰと同じである。
（ｂ）図５に示すように、ｍｓｇ３特定伝送のＢＷＰ又は周波数領域位置の開始位置は、ＰＲＡＣＨ  ｒｅｓｏｕｒｃｅの開始位置であり、且つ大きさがｉｎｉｔｉａｌ  ＵＬ  ＢＷＰと同じである。
（ｃ）図６に示すように、ｍｓｇ３特定伝送のＢＷＰ又は周波数領域位置の開始位置及び大きさは、いずれもＲＲＣ  ｓｉｇｎａｌｉｎｇで通知される（ａは、ｍｓｇ３の伝送帯域幅開始位置を示す）。
【０１４６】
もちろん、前記ｍｓｇ３特定伝送のＢＷＰ又は周波数領域位置の決定方法は、上記のような方法の任意の組み合わせであってもよく、ここで何ら限定されない。
【０１４７】
例３（上記方法３に対応する）：
端末が接続状態にあり、基地局から端末に対して設定するａｃｔｉｖｅ  ＵＬ  ＢＷＰがＢＷＰ１であるとする。基地局は、ｍｓｇ３の送信のＢＷＰ又は周波数領域リソース位置をＲＲＣ  ｓｉｇｎｌｉａｎｇで端末に通知する。
【０１４８】
具体的には、基地局は、端末に対して物理ランダムアクセスチャネルＰＲＡＣＨリソースを設定し、対応する前記メッセージ３の送信が存在する周波数領域範囲又はｍｓｇ３−ＢＷＰを設定する。前記周波数領域範囲又はｍｓｇ３−ＢＷＰは、端末のａｃｔｉｖｅ  ＵＬ  ＢＷＰに含まれ、且つ異なる端末に設定される同じＰＲＡＣＨリソース（時間領域リソース、周波数領域リソース、ｐｒｅａｍｂｌｅ  ｇｒｏｕｐなどを含む）について、ｃａｒｒｉｅｒ内の位置が同じである。
【０１４９】
基地局は、端末から送信されたｐｒｅａｍｂｌｅを受信すると、上記の設定に基づいて、前記ｍｓｇ３の送信の周波数領域範囲又はｍｓｇ３−ＢＷＰ内でｍｓｇ３をスケジューリングする。端末は、ＲＡＲに運ばれるＵＬ  ｇｒａｎｔを基地局から受信すると、前記設定された周波数領域範囲又はｍｓｇ３−ＢＷＰ内でスケジューリング情報に従ってｍｓｇ３を送信する。
【０１５０】
例４（上記方法４に対応する）：
基地局は、ｍｓｇ３をスケジューリングする際に、特定の周波数領域範囲又はＢＷＰに従ってスケジューリングを行い、端末は、前記特定の周波数領域範囲又はＢＷＰ内で、基地局のスケジューリング情報に従ってｍｓｇ３を送信する。前記特定の周波数領域範囲又はＢＷＰは、異なる方式で定められる。例えば、前記周波数領域範囲又はＢＷＰの大きさは、ＲＲＣ  ｓｉｇｎａｌｉｎｇで通知され、又は、前記周波数領域範囲又はＢＷＰの大きさは、ｉｎｉｔｉａｌ  ＵＬ  ＢＷＰと同じである。
【０１５１】
前記特定の周波数領域範囲又はＢＷＰの開始ＲＢ  ｉｎｄｅｘは、対応するｐｒｅａｍｂｌｅを送信するＰＲＡＣＨリソースの最小ＲＢ番号と同じである。前記対応するｐｒｅａｍｂｌｅは、基地局が受信に成功し、且つＲＡＲでの応答を必要とするｐｒｅａｍｂｌｅである。
【０１５２】
ここで、前記特定の周波数領域範囲又はＢＷＰは、完全に端末のａｃｔｉｖｅ  ＵＬ  ＢＷＰ内に位置する。
【０１５３】
以上から、本開示の実施例に係る手段は、明示的シグナリング方式又はプロトコルで予め定義される方式で、ＣＢＲＡプロセスにおけるｍｓｇ３のリソース割当について端末側と基地局側で理解が同じであることを保証し、基地局は、前記周波数領域範囲又はＢＷＰ内でｍｓｇ３にリソースを割り当て、基地局は、基地局のスケジューリング情報に基づいて、前記周波数領域範囲又はＢＷＰ内でｍｓｇ３を送信する。本開示の実施例に係る手段によれば、ｍｓｇ３の送信及び受信について端末と基地局の理解が同じであるようにすることができるため、関連技術のＣＢＲＡプロセスにおけるｍｓｇ３のリソース割当によってｍｓｇ３の送信及び受信に誤りが生じる問題を効果的に解決する。
【０１５４】
本開示の実施例は、メモリと、プロセッサと、トランシーバと、前記メモリに格納されて前記プロセッサで実行可能なコンピュータプログラムを含む基地局を更に提供する。前記プロセッサは、前記プログラムを実行すると、競合に基づくランダムアクセスＣＢＲＡプロセスにおけるメッセージ３のリソース割当情報を決定するステップを実現する。ここで、前記リソース割当情報は、基地局によって所定規則に基づいて決定されるか、又は基地局によって設定されて前記トランシーバを介して端末に通知される。所定規則に基づいてリソース割当情報が決定される場合、前記基地局と前記端末に用いられる所定規則は、同じである。
【０１５５】
本開示の実施例に係る前記基地局は、競合に基づくランダムアクセスＣＢＲＡプロセスにおけるメッセージ３のリソース割当情報を決定する。ここで、前記リソース割当情報は、基地局によって所定規則に基づいて決定されるか、又は基地局によって設定されて端末に通知される。所定規則に基づいてリソース割当情報が決定される場合、前記基地局と前記端末に用いられる所定規則は、同じである。よって、明示的シグナリング方式又はプロトコルで予め定義される方式で、ＣＢＲＡプロセスにおけるｍｓｇ３のリソース割当について端末側と基地局側で理解が同じであることを保証し、ｍｓｇ３の送信及び受信に誤りが生じる問題を回避することができる。
【０１５６】
具体的には、図７に示すように、本開示の実施例に係る基地局は、プロセッサ７１と、バスインタフェース７２を介して前記プロセッサ７１に接続されたメモリ７３を含む。前記メモリ７３は、前記プロセッサ７１による操作実行に用いられるプログラム及びデータを記憶するために用いられる。プロセッサ７１は、前記メモリ７３に格納されているプログラム及びデータを呼び出して実行すると、競合に基づくランダムアクセスＣＢＲＡプロセスにおけるメッセージ３のリソース割当情報を決定するプロセスを実行する。ここで、前記リソース割当情報は、基地局によって所定規則に基づいて決定されるか、又は基地局によって設定されて前記トランシーバ７４を介して端末に通知される。所定規則に基づいてリソース割当情報が決定される場合、前記基地局と前記端末に用いられる所定規則は、同じである。
【０１５７】
ここで、トランシーバ７４は、バスインタフェース７２に接続され、プロセッサ７１による制御でデータを送受信するために用いられる。
【０１５８】
なお、図７において、バスアーキテクチャは、任意数の相互接続するバスとブリッジを含み、具体的に、プロセッサ７１をはじめとする１つ又は複数のプロセッサとメモリ７３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ７４は、複数の部品であってもよく、即ち送信機と受信機を含み、伝送媒体でほかの各種類の装置と通信するユニットとして提供される。プロセッサ７１は、バスアーキテクチャと通常の処理を管理する。メモリ７３は、プロセッサ７１による操作実行に使用されるデータを記憶できる。
【０１５９】
上記実施例を実現する全てまたは一部のステップは、ハードウェアによって完成されてもよいし、上記方法の一部または全てのステップを実行するコマンドを含むコンピュータプログラムによって関連ハードウェアを指示して完成されてもよく、且つ該コンピュータプログラムが読み取り可能な記憶媒体に格納され、記憶媒体があらゆる形態の記憶媒体であることは、当業者にとって自明である。
【０１６０】
本開示の実施例において、プロセッサによって実行される操作について、以下の４種類の具体例を提供するが、これらに限定されない。
【０１６１】
例１：前記プロセッサは、具体的には、初期上り帯域幅部分ｉｎｉｔｉａｌ  ＵＬ  ＢＷＰに従って、前記メッセージ３の伝送用ＢＷＰを決定し、且つ、端末に対して設定した活性化上り帯域幅部分ａｃｔｉｖｅ  ＵＬ  ＢＷＰは、ｉｎｉｔｉａｌ  ＵＬ  ＢＷＰの全体を含む。
【０１６２】
例２：前記プロセッサは、具体的には、初期上り帯域幅部分ｉｎｉｔｉａｌ  ＵＬ  ＢＷＰと活性化帯域幅部分ａｃｔｉｖｅ  ＢＷＰの設定及び物理ランダムアクセスチャネルＰＲＡＣＨリソースの設定に基づいて、前記メッセージ３のスケジューリング及び送信が存在する周波数領域範囲又はＢＷＰを決定する。
【０１６３】
ここで、前記プロセッサは、具体的には、端末に対して、活性化上り帯域幅部分ａｃｔｉｖｅ  ＵＬ  ＢＷＰ内に設定した物理ランダムアクセスチャネルＰＲＡＣＨリソースと、ｉｎｉｔｉａｌ  ＵＬ  ＢＷＰ内に設定したＰＲＡＣＨリソースとは完全に重なり、且つ端末が、ｉｎｉｔｉａｌ  ＵＬ  ＢＷＰ上に設定されたｐｒｅａｍｂｌｅ群に属するプリアンブルｐｒｅａｍｂｌｅを前記ＰＲＡＣＨリソース上で送信する場合、ｉｎｉｔｉａｌ  ＵＬ  ＢＷＰに基づいて前記メッセージ３をスケジューリングする。具体的には、端末に対して設定したａｃｔｉｖｅ  ＵＬ  ＢＷＰは、ｉｎｉｔｉａｌ  ＵＬ  ＢＷＰの全体を含む。
【０１６４】
更に具体的には、前記の端末に対して設定したａｃｔｉｖｅ  ＵＬ  ＢＷＰが、ｉｎｉｔｉａｌ  ＵＬ  ＢＷＰの全体を含むことは、具体的には、設定時に、完全に重なるＰＲＡＣＨリソースを有し且つ同じｐｒｅａｍｂｌｅ群の全ての端末に対して設定したａｃｔｉｖｅ  ＵＬ  ＢＷＰは、ｉｎｉｔｉａｌ  ＵＬ  ＢＷＰの全体を含むことである。
【０１６５】
更に、前記プロセッサは、更に、端末に対して、活性化上り帯域幅部分ａｃｔｉｖｅ  ＵＬ  ＢＷＰ内に設定した物理ランダムアクセスチャネルＰＲＡＣＨリソースと、ｉｎｉｔｉａｌ  ＵＬ  ＢＷＰ内に設定したＰＲＡＣＨリソースとは完全に重なるのではない場合、及び／又は、端末が、ｉｎｉｔｉａｌ  ＵＬ  ＢＷＰ上に設定されたｐｒｅａｍｂｌｅ群に属さないプリアンブルｐｒｅａｍｂｌｅを前記ＰＲＡＣＨリソース上で送信する場合、所定のＢＷＰに従って前記メッセージ３をスケジューリングする。ここで、前記所定のＢＷＰは、ａｃｔｉｖｅ  ＵＬ  ＢＷＰの最小物理リソースブロックインデックスＰＲＢ  ｉｎｄｅｘから始まり、且つｉｎｉｔｉａｌ  ＵＬ  ＢＷＰと同じ大きさのＢＷＰである。又は、前記所定のＢＷＰは、ａｃｔｉｖｅ  ＵＬ  ＢＷＰである。又は、前記所定のＢＷＰは、端末がｐｒｅａｍｂｌｅを送信するＰＲＡＣＨリソースの最小ＰＲＢ  ｉｎｄｅｘから始まり、ｉｎｉｔｉａｌ  ＵＬ  ＢＷＰと同じ大きさのＢＷＰである。又は、前記所定のＢＷＰは、無線リソース制御シグナリングＲＲＣ  ｓｉｇｎａｌｉｎｇによって指示される特定ＰＲＢ  ｉｎｄｅｘを起点として、ｉｎｉｔｉａｌ  ＵＬ  ＢＷＰと同じ大きさのＢＷＰであり、又は、前記メッセージ３の基地局によるスケジューリング及び前記メッセージ３の端末による送信のためにＲＲＣ  ｓｉｇｎａｌｉｎｇによって指示されるＵＬ  ＢＷＰである。前記ＢＷＰは、ａｃｔｉｖｅ  ＵＬ  ＢＷＰ内に完全に含まれる。具体的には、端末に対して設定したａｃｔｉｖｅ  ＵＬ  ＢＷＰは、ｉｎｉｔｉａｌ  ＵＬ  ＢＷＰの全体を含むのではない。
【０１６６】
例３：前記プロセッサは、具体的には、前記メッセージ３のスケジューリング及び送信が存在する周波数領域範囲又は帯域幅部分ＢＷＰを、無線リソース制御シグナリングＲＲＣ  ｓｉｇｎａｌｉｎｇによって端末に通知する。
【０１６７】
更に、前記プロセッサは、更に、物理ランダムアクセスチャネルＰＲＡＣＨリソースの設定及び対応する前記メッセージ３の送信が存在する周波数領域範囲又はＢＷＰの設定を端末に対して行う。
【０１６８】
ここで、前記周波数領域範囲又はＢＷＰは、端末の活性化上り帯域幅部分ａｃｔｉｖｅ  ＵＬ  ＢＷＰに含まれる。
【０１６９】
具体的には、異なる端末のために設定する同じＰＲＡＣＨリソースに対して、前記周波数領域範囲又はＢＷＰは、キャリアｃａｒｒｉｅｒ内の位置が同じである。
【０１７０】
例４：前記プロセッサは、具体的には、前記メッセージ３をスケジューリングする際に、所定の周波数領域範囲又は帯域幅部分ＢＷＰに従ってスケジューリングし、ここで、前記所定の周波数領域範囲又はＢＷＰの大きさは、明示的シグナリングによって通知されるか、又はプロトコルで予め定義される方式で決められ、及び／又は、前記所定の周波数領域範囲又はＢＷＰの開始リソースブロックインデックスＲＢ  ｉｎｄｅｘは、対応するプリアンブルｐｒｅａｍｂｌｅを送信する物理ランダムアクセスチャネルＰＲＡＣＨリソースの最小ＲＢ番号と同一である。ここで、前記所定の周波数領域範囲又はＢＷＰは、完全に端末の活性化上り帯域幅部分ａｃｔｉｖｅ  ＵＬ  ＢＷＰ内に位置する。
【０１７１】
具体的には、前記所定の周波数領域範囲又はＢＷＰの開始リソースブロックインデックスＲＢ  ｉｎｄｅｘが、対応するプリアンブルｐｒｅａｍｂｌｅを送信する物理ランダムアクセスチャネルＰＲＡＣＨリソースの最小ＲＢ番号と同一である場合、ｐｒｅａｍｂｌｅは、基地局による受信に成功し、且つ、対応する応答をランダムアクセス応答ＲＡＲで行うように基地局に指示するｐｒｅａｍｂｌｅである。
【０１７２】
前記所定の周波数領域範囲又はＢＷＰの大きさが、明示的シグナリングによって通知されるか、又はプロトコルで予め定義される方式で決められる場合、前記周波数領域範囲又はＢＷＰの大きさは、無線リソース制御シグナリングＲＲＣ  ｓｉｇｎａｌｉｎｇで通知され、又は、前記周波数領域範囲又はＢＷＰの大きさは、初期上り帯域幅部分ｉｎｉｔｉａｌ  ＵＬ  ＢＷＰと同じであり、又は、前記周波数領域範囲又はＢＷＰの大きさは、他の予め定められた値である。
【０１７３】
ここで、上記の基地局側の上りリソース割当方法を実現する実施例は、いずれも該基地局の実施例に適用し、同一の技術効果を奏することもできる。
【０１７４】
本開示の実施例は、メモリと、プロセッサと、トランシーバと、前記メモリに格納されて前記プロセッサで実行可能なコンピュータプログラムを含む端末を更に提供する。前記プロセッサは、前記プログラムを実行すると、競合に基づくランダムアクセスＣＢＲＡプロセスにおけるメッセージ３のリソース割当情報を決定するステップを実現する。ここで、前記リソース割当情報は、端末によって所定規則に基づいて決定されるか、又は基地局によって設定されて通知される。所定規則に基づいてリソース割当情報が決定される場合、前記基地局と前記端末に用いられる所定規則は、同じである。
【０１７５】
本開示の実施例に係る端末は、競合に基づくランダムアクセスＣＢＲＡプロセスにおけるメッセージ３のリソース割当情報を決定する。ここで、前記リソース割当情報は、端末によって所定規則に基づいて決定されるか、又は基地局によって設定されて通知される。所定規則に基づいてリソース割当情報が決定される場合、前記基地局と前記端末に用いられる所定規則は、同じである。よって、明示的シグナリング方式又はプロトコルで予め定義される方式で、ＣＢＲＡプロセスにおけるｍｓｇ３のリソース割当について端末側と基地局側で理解が同じであることを保証し、ｍｓｇ３の送信及び受信に誤りが生じる問題を回避することができる。
【０１７６】
具体的には、図８に示すように、本開示の実施例に係る端末は、プロセッサ８１と、バスインタフェース８２を介して前記プロセッサ８１に接続されたメモリ８３を含む。前記メモリ８３は、前記プロセッサ８１による操作実行に用いられるプログラム及びデータを記憶するために用いられる。プロセッサ８１は、前記メモリ８３に格納されているプログラム及びデータを呼び出して実行すると、競合に基づくランダムアクセスＣＢＲＡプロセスにおけるメッセージ３のリソース割当情報を決定するプロセスを実現する。ここで、前記リソース割当情報は、端末によって所定規則に基づいて決定されるか、又は基地局によって設定されて通知される（端末がトランシーバ８４を介して受信する）。所定規則に基づいてリソース割当情報が決定される場合、前記基地局と前記端末に用いられる所定規則は、同じである。
【０１７７】
なお、図８において、バスアーキテクチャは、任意数の相互接続するバスとブリッジを含み、具体的に、プロセッサ８１をはじめとする１つ又は複数のプロセッサとメモリ８３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ８４は、複数の部品であってもよく、即ち送信機と受信機を含み、伝送媒体でほかの各種類の装置と通信するユニットとして提供される。ユーザ端末によっては、ユーザインタフェースは、内部接続や外部接続する機器のインタフェースであってもよい。接続する機器は、キーパッド、ディスプレイ、スピーカ、マイクロフォン、ジョイスティックなどを含むが、それらに限られない。プロセッサ８１は、バスアーキテクチャと通常の処理を管理する。メモリ８３は、プロセッサ８１による操作実行に使用されるデータを記憶できる。
【０１７８】
上記実施例を実現する全てまたは一部のステップは、ハードウェアによって完成されてもよいし、上記方法の一部または全てのステップを実行するコマンドを含むコンピュータプログラムによって関連ハードウェアを指示して完成されてもよく、且つ該コンピュータプログラムが読み取り可能な記憶媒体に格納され、記憶媒体があらゆる形態の揮発性又は非揮発性の記憶媒体であることは、当業者にとって自明である。
【０１７９】
本開示の実施例において、プロセッサによって実行される操作について、以下の４種類の具体例（上記基地局側のプロセッサにより実行される操作の４種類の具体例に対応する）を提供するが、これらに限定されない。
【０１８０】
例１：前記プロセッサは、具体的には、初期上り帯域幅部分ｉｎｉｔｉａｌ  ＵＬ  ＢＷＰ内で、ランダムアクセス応答ＲＡＲに運ばれる上りスケジューリンググラントＵＬ  ｇｒａｎｔ情報に基づいて、前記トランシーバを介して前記メッセージ３を伝送する。
【０１８１】
例２：前記プロセッサは、具体的には、初期上り帯域幅部分ｉｎｉｔｉａｌ  ＵＬ  ＢＷＰと活性化帯域幅部分ａｃｔｉｖｅ  ＢＷＰの設定及び物理ランダムアクセスチャネルＰＲＡＣＨリソースの設定に基づいて、前記メッセージ３のスケジューリング及び送信が存在する周波数領域範囲又はＢＷＰを決定する。
【０１８２】
ここで、前記プロセッサは、具体的には、基地局から端末に対して、活性化上り帯域幅部分ａｃｔｉｖｅ  ＵＬ  ＢＷＰ内に設定した物理ランダムアクセスチャネルＰＲＡＣＨリソースと、ｉｎｉｔｉａｌ  ＵＬ  ＢＷＰ内に設定したＰＲＡＣＨリソースとは完全に重なり、且つ端末が、ｉｎｉｔｉａｌ  ＵＬ  ＢＷＰ上に設定されたｐｒｅａｍｂｌｅ群に属するプリアンブルｐｒｅａｍｂｌｅを前記ＰＲＡＣＨリソース上で送信する場合、前記基地局から送信された上りスケジューリンググラントＵＬ  ｇｒａｎｔ情報に基づいて、ｉｎｉｔｉａｌ  ＢＷＰ内で対応する前記メッセージ３を送信する。具体的には、ａｃｔｉｖｅ  ＵＬ  ＢＷＰは、ｉｎｉｔｉａｌ  ＵＬ  ＢＷＰの全体を含む。
【０１８３】
更に、前記プロセッサは、更に、基地局から端末に対して、活性化上り帯域幅部分ａｃｔｉｖｅ  ＵＬ  ＢＷＰ内に設定した物理ランダムアクセスチャネルＰＲＡＣＨリソースと、ｉｎｉｔｉａｌ  ＵＬ  ＢＷＰ内に設定したＰＲＡＣＨリソースとは完全に重なるのではない場合、及び／又は、端末が、ｉｎｉｔｉａｌ  ＵＬ  ＢＷＰ上に設定されたｐｒｅａｍｂｌｅ群に属さないプリアンブルｐｒｅａｍｂｌｅを前記ＰＲＡＣＨリソース上で送信する場合、基地局から送信されたＵＬ  ｇｒａｎｔ情報に基づいて、所定のＢＷＰに従って前記メッセージ３を送信する。ここで、前記所定のＢＷＰは、ａｃｔｉｖｅ  ＵＬ  ＢＷＰの最小物理リソースブロックインデックスＰＲＢ  ｉｎｄｅｘから始まり、且つｉｎｉｔｉａｌ  ＵＬ  ＢＷＰと同じ大きさのＢＷＰである。又は、前記所定のＢＷＰは、ａｃｔｉｖｅ  ＵＬ  ＢＷＰである。又は、前記所定のＢＷＰは、端末がｐｒｅａｍｂｌｅを送信するＰＲＡＣＨリソースの最小ＰＲＢ  ｉｎｄｅｘから始まり、ｉｎｉｔｉａｌ  ＵＬ  ＢＷＰと同じ大きさのＢＷＰである。又は、前記所定のＢＷＰは、無線リソース制御シグナリングＲＲＣ  ｓｉｇｎａｌｉｎｇによって指示される特定ＰＲＢ  ｉｎｄｅｘを起点として、ｉｎｉｔｉａｌ  ＵＬ  ＢＷＰと同じ大きさのＢＷＰであり、又は、前記メッセージ３の基地局によるスケジューリング及び前記メッセージ３の端末による送信のためにＲＲＣ  ｓｉｇｎａｌｉｎｇによって指示されるＵＬ  ＢＷＰである。前記ＢＷＰは、ａｃｔｉｖｅ  ＵＬ  ＢＷＰ内に完全に含まれる。具体的には、基地局から端末に対して設定したａｃｔｉｖｅ  ＵＬ  ＢＷＰは、ｉｎｉｔｉａｌ  ＵＬ  ＢＷＰの全体を含むのではない。
【０１８４】
例３：前記プロセッサは、具体的には、前記メッセージ３のスケジューリング及び送信が存在する周波数領域範囲又は帯域幅部分ＢＷＰを、無線リソース制御シグナリングＲＲＣ  ｓｉｇｎａｌｉｎｇによって決定する。
【０１８５】
ここで、前記メッセージ３の送信が存在する周波数領域範囲又はＢＷＰは、基地局から端末に対して物理ランダムアクセスチャネルＰＲＡＣＨリソースを設定する際に対応的に設定される。
【０１８６】
具体的には、前記周波数領域範囲又はＢＷＰは、端末の活性化上り帯域幅部分ａｃｔｉｖｅ  ＵＬ  ＢＷＰに含まれる。
【０１８７】
例４：前記プロセッサは、具体的には、所定の周波数領域範囲又は帯域幅部分ＢＷＰ内で、基地局のスケジューリングに従って、前記トランシーバを介して前記メッセージ３を送信し、ここで、前記所定の周波数領域範囲又はＢＷＰの大きさは、明示的シグナリングによって通知されるか、又はプロトコルで予め定義される方式で決められ、及び／又は、前記所定の周波数領域範囲又はＢＷＰの開始リソースブロックインデックスＲＢ  ｉｎｄｅｘは、対応するプリアンブルｐｒｅａｍｂｌｅを送信する物理ランダムアクセスチャネルＰＲＡＣＨリソースの最小ＲＢ番号と同一であり、ここで、前記所定の周波数領域範囲又はＢＷＰは、完全に端末の活性化上り帯域幅部分ａｃｔｉｖｅ  ＵＬ  ＢＷＰ内に位置する。
【０１８８】
具体的には、前記所定の周波数領域範囲又はＢＷＰの開始リソースブロックインデックスＲＢ  ｉｎｄｅｘが、対応するプリアンブルｐｒｅａｍｂｌｅを送信する物理ランダムアクセスチャネルＰＲＡＣＨリソースの最小ＲＢ番号と同一である場合、ｐｒｅａｍｂｌｅは、基地局による受信に成功し、且つ、対応する応答をランダムアクセス応答ＲＡＲで行うように基地局に指示するｐｒｅａｍｂｌｅである。
【０１８９】
前記所定の周波数領域範囲又はＢＷＰの大きさが、明示的シグナリングによって通知されるか、又はプロトコルで予め定義される方式で決められる場合、前記周波数領域範囲又はＢＷＰの大きさは、無線リソース制御シグナリングＲＲＣ  ｓｉｇｎａｌｉｎｇで通知され、又は、前記周波数領域範囲又はＢＷＰの大きさは、初期上り帯域幅部分ｉｎｉｔｉａｌ  ＵＬ  ＢＷＰと同じであり、又は、前記周波数領域範囲又はＢＷＰの大きさは、他の予め定められた値である。
【０１９０】
ここで、上記の端末側の上りリソース割当方法の前記実現実施例は、いずれも該端末の実施例に適用し、同一の技術効果を奏することもできる。
【０１９１】
本開示の実施例は、コンピュータプログラムが格納されているコンピュータ読み取り可能な記憶媒体を更に提供する。該プログラムがプロセッサによって実行されると、上記基地局側の上りリソース割当方法が実現され、又は、該プログラムがプロセッサによって実行されると、上記端末側の上りリソース割当方法が実現される。
【０１９２】
対応して、上記の基地局側又は端末側の上りリソース割当方法の前記実現実施例は、いずれも該コンピュータ読み取り可能な記憶媒体の実施例に適用し、同一の技術効果を奏することもできる。
【０１９３】
本開示の実施例は、（基地局に応用される）上りリソース割当装置を更に提供し、図９に示すように、競合に基づくランダムアクセスＣＢＲＡプロセスにおけるメッセージ３のリソース割当情報を決定する第１決定モジュール９１を含む。ここで、前記リソース割当情報は、基地局によって所定規則に基づいて決定されるか、又は基地局によって設定されて端末に通知される。所定規則に基づいてリソース割当情報が決定される場合、前記基地局と前記端末に用いられる所定規則は、同じである。
【０１９４】
本開示の実施例に係る前記上りリソース割当装置は、競合に基づくランダムアクセスＣＢＲＡプロセスにおけるメッセージ３のリソース割当情報を決定する。ここで、前記リソース割当情報は、基地局によって所定規則に基づいて決定されるか、又は基地局によって設定されて端末に通知される。所定規則に基づいてリソース割当情報が決定される場合、前記基地局と前記端末に用いられる所定規則は、同じである。よって、明示的シグナリング方式又はプロトコルで予め定義される方式で、ＣＢＲＡプロセスにおけるｍｓｇ３のリソース割当について端末側と基地局側で理解が同じであることを保証し、ｍｓｇ３の送信及び受信に誤りが生じる問題を回避することができる。
【０１９５】
本開示の実施例において、第１決定モジュール９１について、以下の４種類の具体例を提供するが、これらに限定されない。
【０１９６】
例１：前記第１決定モジュールは、初期上り帯域幅部分ｉｎｉｔｉａｌ  ＵＬ  ＢＷＰに従って、前記メッセージ３の伝送用ＢＷＰを決定する第１処理サブモジュールを含み、且つ、ここで、端末に対して設定した活性化上り帯域幅部分ａｃｔｉｖｅ  ＵＬ  ＢＷＰは、ｉｎｉｔｉａｌ  ＵＬ  ＢＷＰの全体を含む。
【０１９７】
例２：前記第１決定モジュールは、初期上り帯域幅部分ｉｎｉｔｉａｌ  ＵＬ  ＢＷＰと活性化帯域幅部分ａｃｔｉｖｅ  ＢＷＰの設定及び物理ランダムアクセスチャネルＰＲＡＣＨリソースの設定に基づいて、前記メッセージ３のスケジューリング及び送信が存在する周波数領域範囲又はＢＷＰを決定する第１決定サブモジュールを含む。
【０１９８】
ここで、前記第１決定サブモジュールは、端末に対して、活性化上り帯域幅部分ａｃｔｉｖｅ  ＵＬ  ＢＷＰ内に設定した物理ランダムアクセスチャネルＰＲＡＣＨリソースと、ｉｎｉｔｉａｌ  ＵＬ  ＢＷＰ内に設定したＰＲＡＣＨリソースとは完全に重なり、且つ端末が、ｉｎｉｔｉａｌ  ＵＬ  ＢＷＰ上に設定されたｐｒｅａｍｂｌｅ群に属するプリアンブルｐｒｅａｍｂｌｅを前記ＰＲＡＣＨリソース上で送信する場合、ｉｎｉｔｉａｌ  ＵＬ  ＢＷＰに基づいて前記メッセージ３をスケジューリングする第１処理ユニットを含む。具体的には、端末に対して設定したａｃｔｉｖｅ  ＵＬ  ＢＷＰは、ｉｎｉｔｉａｌ  ＵＬ  ＢＷＰの全体を含む。
【０１９９】
更に具体的には、前記の端末に対して設定したａｃｔｉｖｅ  ＵＬ  ＢＷＰが、ｉｎｉｔｉａｌ  ＵＬ  ＢＷＰの全体を含むことは、具体的には、設定時に、完全に重なるＰＲＡＣＨリソースを有し且つ同じｐｒｅａｍｂｌｅ群の全ての端末に対して設定したａｃｔｉｖｅ  ＵＬ  ＢＷＰは、ｉｎｉｔｉａｌ  ＵＬ  ＢＷＰの全体を含むことである。
【０２００】
更に、前記第１決定サブモジュールは、端末に対して、活性化上り帯域幅部分ａｃｔｉｖｅ  ＵＬ  ＢＷＰ内に設定した物理ランダムアクセスチャネルＰＲＡＣＨリソースと、ｉｎｉｔｉａｌ  ＵＬ  ＢＷＰ内に設定したＰＲＡＣＨリソースとは完全に重なるのではない場合、及び／又は、端末が、ｉｎｉｔｉａｌ  ＵＬ  ＢＷＰ上に設定されたｐｒｅａｍｂｌｅ群に属さないプリアンブルｐｒｅａｍｂｌｅを前記ＰＲＡＣＨリソース上で送信する場合、所定のＢＷＰに従って前記メッセージ３をスケジューリングする第２処理ユニットを更に含む。ここで、前記所定のＢＷＰは、ａｃｔｉｖｅ  ＵＬ  ＢＷＰの最小物理リソースブロックインデックスＰＲＢ  ｉｎｄｅｘから始まり、且つｉｎｉｔｉａｌ  ＵＬ  ＢＷＰと同じ大きさのＢＷＰである。又は、前記所定のＢＷＰは、ａｃｔｉｖｅ  ＵＬ  ＢＷＰである。又は、前記所定のＢＷＰは、端末がｐｒｅａｍｂｌｅを送信するＰＲＡＣＨリソースの最小ＰＲＢ  ｉｎｄｅｘから始まり、ｉｎｉｔｉａｌ  ＵＬ  ＢＷＰと同じ大きさのＢＷＰである。又は、前記所定のＢＷＰは、無線リソース制御シグナリングＲＲＣ  ｓｉｇｎａｌｉｎｇによって指示される特定ＰＲＢ  ｉｎｄｅｘを起点として、ｉｎｉｔｉａｌ  ＵＬ  ＢＷＰと同じ大きさのＢＷＰであり、又は、前記メッセージ３の基地局によるスケジューリング及び前記メッセージ３の端末による送信のためにＲＲＣ  ｓｉｇｎａｌｉｎｇによって指示されるＵＬ  ＢＷＰである。前記ＢＷＰは、ａｃｔｉｖｅ  ＵＬ  ＢＷＰ内に完全に含まれる。具体的には、端末に対して設定したａｃｔｉｖｅ  ＵＬ  ＢＷＰは、ｉｎｉｔｉａｌ  ＵＬ  ＢＷＰの全体を含むのではない。
【０２０１】
例３：前記第１決定モジュールは、前記メッセージ３のスケジューリング及び送信が存在する周波数領域範囲又は帯域幅部分ＢＷＰを、無線リソース制御シグナリングＲＲＣ  ｓｉｇｎａｌｉｎｇによって端末に通知する第２処理サブモジュールを含む。
【０２０２】
更に、前記上りリソース割当装置は、物理ランダムアクセスチャネルＰＲＡＣＨリソースの設定及び対応する前記メッセージ３の送信が存在する周波数領域範囲又はＢＷＰの設定を端末に対して行う第１処理モジュールを更に含む。
【０２０３】
ここで、前記周波数領域範囲又はＢＷＰは、端末の活性化上り帯域幅部分ａｃｔｉｖｅ  ＵＬ  ＢＷＰに含まれる。
【０２０４】
具体的には、異なる端末のために設定する同じＰＲＡＣＨリソースに対して、前記周波数領域範囲又はＢＷＰは、キャリアｃａｒｒｉｅｒ内の位置が同じである。
【０２０５】
例４：前記第１決定モジュールは、前記メッセージ３をスケジューリングする際に、所定の周波数領域範囲又は帯域幅部分ＢＷＰに従ってスケジューリングする第３処理サブモジュールを含み、ここで、前記所定の周波数領域範囲又はＢＷＰの大きさは、明示的シグナリングによって通知されるか、又はプロトコルで予め定義される方式で決められ、及び／又は、前記所定の周波数領域範囲又はＢＷＰの開始リソースブロックインデックスＲＢ  ｉｎｄｅｘは、対応するプリアンブルｐｒｅａｍｂｌｅを送信する物理ランダムアクセスチャネルＰＲＡＣＨリソースの最小ＲＢ番号と同一であり、ここで、前記所定の周波数領域範囲又はＢＷＰは、完全に端末の活性化上り帯域幅部分ａｃｔｉｖｅ  ＵＬ  ＢＷＰ内に位置する。
【０２０６】
具体的には、前記所定の周波数領域範囲又はＢＷＰの開始リソースブロックインデックスＲＢ  ｉｎｄｅｘが、対応するプリアンブルｐｒｅａｍｂｌｅを送信する物理ランダムアクセスチャネルＰＲＡＣＨリソースの最小ＲＢ番号と同一である場合、ｐｒｅａｍｂｌｅは、基地局による受信に成功し、且つ、対応する応答をランダムアクセス応答ＲＡＲで行うように基地局に指示するｐｒｅａｍｂｌｅである。
【０２０７】
前記所定の周波数領域範囲又はＢＷＰの大きさが、明示的シグナリングによって通知されるか、又はプロトコルで予め定義される方式で決められる場合、前記周波数領域範囲又はＢＷＰの大きさは、無線リソース制御シグナリングＲＲＣ  ｓｉｇｎａｌｉｎｇで通知され、又は、前記周波数領域範囲又はＢＷＰの大きさは、初期上り帯域幅部分ｉｎｉｔｉａｌ  ＵＬ  ＢＷＰと同じであり、又は、前記周波数領域範囲又はＢＷＰの大きさは、他の予め定められた値である。
【０２０８】
ここで、上記の基地局側の上りリソース割当方法の前記実現実施例は、いずれも該上りリソース割当装置の実施例に適用し、同一の技術効果を奏することもできる。
【０２０９】
本開示の実施例は、（端末に応用される）上りリソース割当装置を更に提供し、図１０に示すように、競合に基づくランダムアクセスＣＢＲＡプロセスにおけるメッセージ３のリソース割当情報を決定する第２決定モジュール１０１を含む。ここで、前記リソース割当情報は、端末によって所定規則に基づいて決定されるか、又は基地局によって設定されて通知される。所定規則に基づいてリソース割当情報が決定される場合、前記基地局と前記端末に用いられる所定規則は、同じである。
【０２１０】
本開示の実施例に係る前記上りリソース割当装置は、競合に基づくランダムアクセスＣＢＲＡプロセスにおけるメッセージ３のリソース割当情報を決定する。ここで、前記リソース割当情報は、端末によって所定規則に基づいて決定されるか、又は基地局によって設定されて通知される。所定規則に基づいてリソース割当情報が決定される場合、前記基地局と前記端末に用いられる所定規則は、同じである。よって、明示的シグナリング方式又はプロトコルで予め定義される方式で、ＣＢＲＡプロセスにおけるｍｓｇ３のリソース割当について端末側と基地局側で理解が同じであることを保証し、ｍｓｇ３の送信及び受信に誤りが生じる問題を回避することができる。
【０２１１】
本開示の実施例において、第２決定モジュール１０１について、以下の４種類の具体例（上記第１決定モジュール９１の４種類の例に対応する）を提供するが、これらに限定されない。
【０２１２】
例１：前記第２決定モジュールは、初期上り帯域幅部分ｉｎｉｔｉａｌ  ＵＬ  ＢＷＰ内で、ランダムアクセス応答ＲＡＲに運ばれる上りスケジューリンググラントＵＬ  ｇｒａｎｔ情報に基づいて前記メッセージ３を伝送する第４処理サブモジュールを含む。
【０２１３】
例２：前記第２決定モジュールは、初期上り帯域幅部分ｉｎｉｔｉａｌ  ＵＬ  ＢＷＰと活性化帯域幅部分ａｃｔｉｖｅ  ＢＷＰの設定及び物理ランダムアクセスチャネルＰＲＡＣＨリソースの設定に基づいて、前記メッセージ３のスケジューリング及び送信が存在する周波数領域範囲又はＢＷＰを決定する第２決定サブモジュールを含む。
【０２１４】
ここで、前記第２決定サブモジュールは、基地局から端末に対して、活性化上り帯域幅部分ａｃｔｉｖｅ  ＵＬ  ＢＷＰ内に設定した物理ランダムアクセスチャネルＰＲＡＣＨリソースと、ｉｎｉｔｉａｌ  ＵＬ  ＢＷＰ内に設定したＰＲＡＣＨリソースとは完全に重なり、且つ端末が、ｉｎｉｔｉａｌ  ＵＬ  ＢＷＰ上に設定されたｐｒｅａｍｂｌｅ群に属するプリアンブルｐｒｅａｍｂｌｅを前記ＰＲＡＣＨリソース上で送信する場合、前記基地局から送信された上りスケジューリンググラントＵＬ  ｇｒａｎｔ情報に基づいて、ｉｎｉｔｉａｌ  ＢＷＰ内で対応する前記メッセージ３を送信する第３処理ユニットを含む。具体的には、ａｃｔｉｖｅ  ＵＬ  ＢＷＰは、ｉｎｉｔｉａｌ  ＵＬ  ＢＷＰの全体を含む。
【０２１５】
更に、前記第２決定サブモジュールは、基地局から端末に対して、活性化上り帯域幅部分ａｃｔｉｖｅ  ＵＬ  ＢＷＰ内に設定した物理ランダムアクセスチャネルＰＲＡＣＨリソースと、ｉｎｉｔｉａｌ  ＵＬ  ＢＷＰ内に設定したＰＲＡＣＨリソースとは完全に重なるのではない場合、及び／又は、端末が、ｉｎｉｔｉａｌ  ＵＬ  ＢＷＰ上に設定されたｐｒｅａｍｂｌｅ群に属さないプリアンブルｐｒｅａｍｂｌｅを前記ＰＲＡＣＨリソース上で送信する場合、基地局から送信されたＵＬ  ｇｒａｎｔ情報に基づいて、所定のＢＷＰに従って前記メッセージ３を送信する第４処理ユニットを更に含む。ここで、前記所定のＢＷＰは、ａｃｔｉｖｅ  ＵＬ  ＢＷＰの最小物理リソースブロックインデックスＰＲＢ  ｉｎｄｅｘから始まり、且つｉｎｉｔｉａｌ  ＵＬ  ＢＷＰと同じ大きさのＢＷＰである。又は、前記所定のＢＷＰは、ａｃｔｉｖｅ  ＵＬ  ＢＷＰである。又は、前記所定のＢＷＰは、端末がｐｒｅａｍｂｌｅを送信するＰＲＡＣＨリソースの最小ＰＲＢ  ｉｎｄｅｘから始まり、ｉｎｉｔｉａｌ  ＵＬ  ＢＷＰと同じ大きさのＢＷＰである。又は、前記所定のＢＷＰは、無線リソース制御シグナリングＲＲＣ  ｓｉｇｎａｌｉｎｇによって指示される特定ＰＲＢ  ｉｎｄｅｘを起点として、ｉｎｉｔｉａｌ  ＵＬ  ＢＷＰと同じ大きさのＢＷＰであり、又は、前記メッセージ３の基地局によるスケジューリング及び前記メッセージ３の端末による送信のためにＲＲＣ  ｓｉｇｎａｌｉｎｇによって指示されるＵＬ  ＢＷＰである。前記ＢＷＰは、ａｃｔｉｖｅ  ＵＬ  ＢＷＰ内に完全に含まれる。具体的には、基地局から端末に対して設定したａｃｔｉｖｅ  ＵＬ  ＢＷＰは、ｉｎｉｔｉａｌ  ＵＬ  ＢＷＰの全体を含むのではない。
【０２１６】
例３：前記第２決定モジュールは、前記メッセージ３のスケジューリング及び送信が存在する周波数領域範囲又は帯域幅部分ＢＷＰを、無線リソース制御シグナリングＲＲＣ  ｓｉｇｎａｌｉｎｇによって決定する第５処理サブモジュールを含む。
【０２１７】
ここで、前記メッセージ３の送信が存在する周波数領域範囲又はＢＷＰは、基地局から端末に対して物理ランダムアクセスチャネルＰＲＡＣＨリソースを設定する際に対応的に設定される。
【０２１８】
具体的には、前記周波数領域範囲又はＢＷＰは、端末の活性化上り帯域幅部分ａｃｔｉｖｅ  ＵＬ  ＢＷＰに含まれる。
【０２１９】
例４：前記第２決定モジュールは、所定の周波数領域範囲又は帯域幅部分ＢＷＰ内で、基地局のスケジューリングに従って前記メッセージ３を送信する第６処理サブモジュールを含む。ここで、前記所定の周波数領域範囲又はＢＷＰの大きさは、明示的シグナリングによって通知されるか、又はプロトコルで予め定義される方式で決められ、及び／又は、前記所定の周波数領域範囲又はＢＷＰの開始リソースブロックインデックスＲＢ  ｉｎｄｅｘは、対応するプリアンブルｐｒｅａｍｂｌｅを送信する物理ランダムアクセスチャネルＰＲＡＣＨリソースの最小ＲＢ番号と同一であり、ここで、前記所定の周波数領域範囲又はＢＷＰは、完全に端末の活性化上り帯域幅部分ａｃｔｉｖｅ  ＵＬ  ＢＷＰ内に位置する。
【０２２０】
具体的には、前記所定の周波数領域範囲又はＢＷＰの開始リソースブロックインデックスＲＢ  ｉｎｄｅｘが、対応するプリアンブルｐｒｅａｍｂｌｅを送信する物理ランダムアクセスチャネルＰＲＡＣＨリソースの最小ＲＢ番号と同一である場合、ｐｒｅａｍｂｌｅは、基地局による受信に成功し、且つ、対応する応答をランダムアクセス応答ＲＡＲで行うように基地局に指示するｐｒｅａｍｂｌｅである。
【０２２１】
前記所定の周波数領域範囲又はＢＷＰの大きさが、明示的シグナリングによって通知されるか、又はプロトコルで予め定義される方式で決められる場合、前記周波数領域範囲又はＢＷＰの大きさは、無線リソース制御シグナリングＲＲＣ  ｓｉｇｎａｌｉｎｇで通知され、又は、前記周波数領域範囲又はＢＷＰの大きさは、初期上り帯域幅部分ｉｎｉｔｉａｌ  ＵＬ  ＢＷＰと同じであり、又は、前記周波数領域範囲又はＢＷＰの大きさは、他の予め定められた値である。
【０２２２】
ここで、上記の端末側の上りリソース割当方法を実現する実施例は、いずれも該上りリソース割当装置の実施例に適用し、同一の技術効果を奏することもできる。
【０２２３】
なお、この明細書に記載の多くの機能的部材は、その実現方式の独立性を強調するために、モジュール／サブモジュールと称される。
【０２２４】
本開示の実施例において、モジュール／サブモジュールは、各種類のタイプのプロセッサによって実行されるよう、ソフトウェアによって実現される。たとえば、１つの標識される実行可能なコードモジュールは、コンピュータ指令の１つ又は複数の物理又は論理ブロックを含み、たとえば、対象、プロセス又は関数として構築される。それにかかわらず、標識されるモジュールの実行可能なコードは、物理的に一緒に位置する必要がなく、異なるビットに記憶される異なる指令を含み、これらの指令が論理的に結合すると、モジュールを設定して当該モジュールの所定の目的を実現する。
【０２２５】
実際に、実行可能なコードモジュールは、１つ又は複数の指令であり、異なるコードセグメント、異なるプログラムに位置してもよく、複数の記憶機器を跨いで位置してもよい。同様に、オペレーティングデータは、モジュール内で識別可能であり、あらゆる適切な形式で実現可能であり、あらゆる適切なタイプのデータ構造に組織されることもできる。前記オペレーティングデータは、単一のデータセットとして収集され、又は異なる位置に分布し（異なる記憶機器にあることを含む）、少なくとも一部が電子信号のみとしてシステム又はネットワークに存在する。
【０２２６】
モジュールがソフトウェアによって実現可能である場合、関連技術でハードウェア工程のレベルを考慮し、ソフトウェアで実現可能なモジュールは、コストを考慮しない場合、当業者が対応するハードウェア回路を構築して対応な機能を実現することができる。すなわち、本開示のソフトウェアにより実現されるモジュールがハードウェア回路で実現できる。前記ハードウェア回路は、通常のＶＬＳＬ（Ｖｅｒｙ  Ｌａｒｇｅ  Ｓｃａｌｅ  Ｉｎｔｅｇｒａｔｉｏｎ）回路、ゲートアレイ、又は、論理チップやトランジスタといった関連技術の半導体やほかの分離素子を含む。モジュールは、フィールドプログラマブルゲートアレイ、プログラマブルアレイロジック、プログラマブルロジックデバイスなどのプログラマブルハードウェアデバイスで実現可能である。
【０２２７】
以上記載されたのは、本開示の選択可能な実施形態である。当業者は、本開示に記載されている原理を逸脱せずに様々な改良や修飾をすることもできる。これらの改良や修飾も、本開示の保護範囲として見なされるべきである。
【図１】
2021530913.tif 000003
【図２】
2021530913.tif 000004
【図３】
2021530913.tif 000005
【図４】
2021530913.tif 000006
【図５】
2021530913.tif 000007
【図６】
2021530913.tif 000008
【図７】
2021530913.tif 000009
【図８】
2021530913.tif 000010
【図９】
2021530913.tif 000011
【図１０】
2021530913.tif 000012
【手続補正書】
【提出日】令和3年1月13日(2021.1.13)
【手続補正１】
【補正対象書類名】特許請求の範囲
【補正対象項目名】全文
【補正方法】変更
【補正の内容】
【特許請求の範囲】
【請求項１】
上りリソース割当方法であって、
競合に基づくランダムアクセスＣＢＲＡプロセスにおけるメッセージ３のリソース割当情報を決定することを含み、
ここで、前記リソース割当情報は、基地局によって所定規則に基づいて決定されるか、又は基地局によって設定されて端末に通知され、
所定規則に基づいてリソース割当情報が決定される場合、前記基地局と前記端末に用いられる所定規則は、同じである、上りリソース割当方法。
【請求項２】
前記の競合に基づくランダムアクセスＣＢＲＡプロセスにおけるメッセージ３のリソース割当情報を決定することは、
初期上り帯域幅部分ｉｎｉｔｉａｌ  ＵＬ  ＢＷＰに従って、前記メッセージ３の伝送用ＢＷＰを決定することを含み、且つ、端末に対して設定した活性化上り帯域幅部分ａｃｔｉｖｅ  ＵＬ  ＢＷＰは、ｉｎｉｔｉａｌ  ＵＬ  ＢＷＰの全体を含む、請求項１に記載の上りリソース割当方法。
【請求項３】
前記の競合に基づくランダムアクセスＣＢＲＡプロセスにおけるメッセージ３のリソース割当情報を決定することは、
初期上り帯域幅部分ｉｎｉｔｉａｌ  ＵＬ  ＢＷＰと活性化帯域幅部分ａｃｔｉｖｅ  ＢＷＰの設定及び物理ランダムアクセスチャネルＰＲＡＣＨリソースの設定に基づいて、前記メッセージ３のスケジューリング及び送信が存在する周波数領域範囲又はＢＷＰを決定することを含む、請求項１に記載の上りリソース割当方法。
【請求項４】
前記の初期上り帯域幅部分ｉｎｉｔｉａｌ  ＵＬ  ＢＷＰと活性化帯域幅部分ａｃｔｉｖｅ  ＢＷＰの設定及び物理ランダムアクセスチャネルＰＲＡＣＨリソースの設定に基づいて、前記メッセージ３のスケジューリング及び送信が存在する周波数領域範囲又はＢＷＰを決定することは、
端末に対して、活性化上り帯域幅部分ａｃｔｉｖｅ  ＵＬ  ＢＷＰ内に設定した物理ランダムアクセスチャネルＰＲＡＣＨリソースと、ｉｎｉｔｉａｌ  ＵＬ  ＢＷＰ内に設定したＰＲＡＣＨリソースとは完全に重なり、且つ端末が、ｉｎｉｔｉａｌ  ＵＬ  ＢＷＰ上に設定されたｐｒｅａｍｂｌｅ群に属するプリアンブルｐｒｅａｍｂｌｅを前記ＰＲＡＣＨリソース上で送信する場合、ｉｎｉｔｉａｌ  ＵＬ  ＢＷＰに基づいて前記メッセージ３をスケジューリングすることを含む、請求項３に記載の上りリソース割当方法。
【請求項５】
端末に対して設定したａｃｔｉｖｅ  ＵＬ  ＢＷＰは、ｉｎｉｔｉａｌ  ＵＬ  ＢＷＰの全体を含む、請求項４に記載の上りリソース割当方法。
【請求項６】
前記の端末に対して設定したａｃｔｉｖｅ  ＵＬ  ＢＷＰが、ｉｎｉｔｉａｌ  ＵＬ  ＢＷＰの全体を含むことは、具体的には、
設定時に、完全に重なるＰＲＡＣＨリソースを有し且つ同じｐｒｅａｍｂｌｅ群の全ての端末に対して設定したａｃｔｉｖｅ  ＵＬ  ＢＷＰは、ｉｎｉｔｉａｌ  ＵＬ  ＢＷＰの全体を含むことである、請求項５に記載の上りリソース割当方法。
【請求項７】
前記の初期上り帯域幅部分ｉｎｉｔｉａｌ  ＵＬ  ＢＷＰと活性化帯域幅部分ａｃｔｉｖｅ  ＢＷＰの設定及び物理ランダムアクセスチャネルＰＲＡＣＨリソースの設定に基づいて、前記メッセージ３のスケジューリング及び送信が存在する周波数領域範囲又はＢＷＰを決定することは、
端末に対して、活性化上り帯域幅部分ａｃｔｉｖｅ  ＵＬ  ＢＷＰ内に設定した物理ランダムアクセスチャネルＰＲＡＣＨリソースと、ｉｎｉｔｉａｌ  ＵＬ  ＢＷＰ内に設定したＰＲＡＣＨリソースとは完全に重なるのではない場合、及び／又は、端末が、ｉｎｉｔｉａｌ  ＵＬ  ＢＷＰ上に設定されたｐｒｅａｍｂｌｅ群に属さないプリアンブルｐｒｅａｍｂｌｅを前記ＰＲＡＣＨリソース上で送信する場合、所定のＢＷＰに従って前記メッセージ３をスケジューリングすることを更に含み、
ここで、前記所定のＢＷＰは、ａｃｔｉｖｅ  ＵＬ  ＢＷＰの最小物理リソースブロックインデックスＰＲＢ  ｉｎｄｅｘから始まり、且つｉｎｉｔｉａｌ  ＵＬ  ＢＷＰと同じ大きさのＢＷＰであり、
又は、前記所定のＢＷＰは、ａｃｔｉｖｅ  ＵＬ  ＢＷＰであり、
又は、前記所定のＢＷＰは、端末がｐｒｅａｍｂｌｅを送信するＰＲＡＣＨリソースの最小ＰＲＢ  ｉｎｄｅｘから始まり、ｉｎｉｔｉａｌ  ＵＬ  ＢＷＰと同じ大きさのＢＷＰであり、
又は、前記所定のＢＷＰは、無線リソース制御シグナリングＲＲＣ  ｓｉｇｎａｌｉｎｇによって指示される特定ＰＲＢ  ｉｎｄｅｘを起点として、ｉｎｉｔｉａｌ  ＵＬ  ＢＷＰと同じ大きさのＢＷＰであり、又は、前記メッセージ３の基地局によるスケジューリング及び前記メッセージ３の端末による送信のためにＲＲＣ  ｓｉｇｎａｌｉｎｇによって指示されるＵＬ  ＢＷＰであり、前記ＢＷＰは、ａｃｔｉｖｅ  ＵＬ  ＢＷＰ内に完全に含まれる、請求項３に記載の上りリソース割当方法。
【請求項８】
端末に対して設定したａｃｔｉｖｅ  ＵＬ  ＢＷＰは、ｉｎｉｔｉａｌ  ＵＬ  ＢＷＰの全体を含むのではない、請求項７に記載の上りリソース割当方法。
【請求項９】
前記の競合に基づくランダムアクセスＣＢＲＡプロセスにおけるメッセージ３のリソース割当情報を決定することは、
前記メッセージ３のスケジューリング及び送信が存在する周波数領域範囲又は帯域幅部分ＢＷＰを、無線リソース制御シグナリングＲＲＣ  ｓｉｇｎａｌｉｎｇによって端末に通知することを含み、
前記上りリソース割当方法は、物理ランダムアクセスチャネルＰＲＡＣＨリソースの設定及び対応する前記メッセージ３の送信が存在する周波数領域範囲又はＢＷＰの設定を端末に対して行うことを更に含み、
ここで、
前記周波数領域範囲又はＢＷＰは、端末の活性化上り帯域幅部分ａｃｔｉｖｅ  ＵＬ  ＢＷＰに含まれ、
異なる端末のために設定する同じＰＲＡＣＨリソースに対して、前記周波数領域範囲又はＢＷＰは、キャリアｃａｒｒｉｅｒ内の位置が同じである、請求項１に記載の上りリソース割当方法。
【請求項１０】
上りリソース割当方法であって、
競合に基づくランダムアクセスＣＢＲＡプロセスにおけるメッセージ３のリソース割当情報を決定することを含み、
ここで、前記リソース割当情報は、端末によって所定規則に基づいて決定されるか、又は基地局によって設定されて通知され、
所定規則に基づいてリソース割当情報が決定される場合、前記基地局と前記端末に用いられる所定規則は、同じである、上りリソース割当方法。
【請求項１１】
前記の競合に基づくランダムアクセスＣＢＲＡプロセスにおけるメッセージ３のリソース割当情報を決定することは、
初期上り帯域幅部分ｉｎｉｔｉａｌ  ＵＬ  ＢＷＰと活性化帯域幅部分ａｃｔｉｖｅ  ＢＷＰの設定及び物理ランダムアクセスチャネルＰＲＡＣＨリソースの設定に基づいて、前記メッセージ３のスケジューリング及び送信が存在する周波数領域範囲又はＢＷＰを決定することを含む、請求項１０に記載の上りリソース割当方法。
【請求項１２】
前記の初期上り帯域幅部分ｉｎｉｔｉａｌ  ＵＬ  ＢＷＰと活性化帯域幅部分ａｃｔｉｖｅ  ＢＷＰの設定及び物理ランダムアクセスチャネルＰＲＡＣＨリソースの設定に基づいて、前記メッセージ３のスケジューリング及び送信が存在する周波数領域範囲又はＢＷＰを決定することは、
基地局から端末に対して、活性化上り帯域幅部分ａｃｔｉｖｅ  ＵＬ  ＢＷＰ内に設定した物理ランダムアクセスチャネルＰＲＡＣＨリソースと、ｉｎｉｔｉａｌ  ＵＬ  ＢＷＰ内に設定したＰＲＡＣＨリソースとは完全に重なり、且つ端末が、ｉｎｉｔｉａｌ  ＵＬ  ＢＷＰ上に設定されたｐｒｅａｍｂｌｅ群に属するプリアンブルｐｒｅａｍｂｌｅを前記ＰＲＡＣＨリソース上で送信する場合、前記基地局から送信された上りスケジューリンググラントＵＬ  ｇｒａｎｔ情報に基づいて、ｉｎｉｔｉａｌ  ＢＷＰ内で対応する前記メッセージ３を送信することを含む、請求項１１に記載の上りリソース割当方法。
【請求項１３】
ａｃｔｉｖｅ  ＵＬ  ＢＷＰは、ｉｎｉｔｉａｌ  ＵＬ  ＢＷＰの全体を含む、請求項１２に記載の上りリソース割当方法。
【請求項１４】
前記の初期上り帯域幅部分ｉｎｉｔｉａｌ  ＵＬ  ＢＷＰと活性化帯域幅部分ａｃｔｉｖｅ  ＢＷＰの設定及び物理ランダムアクセスチャネルＰＲＡＣＨリソースの設定に基づいて、前記メッセージ３のスケジューリング及び送信が存在する周波数領域範囲又はＢＷＰを決定することは、
基地局から端末に対して、活性化上り帯域幅部分ａｃｔｉｖｅ  ＵＬ  ＢＷＰ内に設定した物理ランダムアクセスチャネルＰＲＡＣＨリソースと、ｉｎｉｔｉａｌ  ＵＬ  ＢＷＰ内に設定したＰＲＡＣＨリソースとは完全に重なるのではない場合、及び／又は、端末が、ｉｎｉｔｉａｌ  ＵＬ  ＢＷＰ上に設定されたｐｒｅａｍｂｌｅ群に属さないプリアンブルｐｒｅａｍｂｌｅを前記ＰＲＡＣＨリソース上で送信する場合、基地局から送信されたＵＬ  ｇｒａｎｔ情報に基づいて、所定のＢＷＰに従って前記メッセージ３を送信することを更に含み、
ここで、前記所定のＢＷＰは、ａｃｔｉｖｅ  ＵＬ  ＢＷＰの最小物理リソースブロックインデックスＰＲＢ  ｉｎｄｅｘから始まり、且つｉｎｉｔｉａｌ  ＵＬ  ＢＷＰと同じ大きさのＢＷＰであり、
又は、前記所定のＢＷＰは、ａｃｔｉｖｅ  ＵＬ  ＢＷＰであり、
又は、前記所定のＢＷＰは、端末がｐｒｅａｍｂｌｅを送信するＰＲＡＣＨリソースの最小ＰＲＢ  ｉｎｄｅｘから始まり、ｉｎｉｔｉａｌ  ＵＬ  ＢＷＰと同じ大きさのＢＷＰであり、
又は、前記所定のＢＷＰは、無線リソース制御シグナリングＲＲＣ  ｓｉｇｎａｌｉｎｇによって指示される特定ＰＲＢ  ｉｎｄｅｘを起点として、ｉｎｉｔｉａｌ  ＵＬ  ＢＷＰと同じ大きさのＢＷＰであり、又は、前記メッセージ３の基地局によるスケジューリング及び前記メッセージ３の端末による送信のためにＲＲＣ  ｓｉｇｎａｌｉｎｇによって指示されるＵＬ  ＢＷＰであり、前記ＢＷＰは、ａｃｔｉｖｅ  ＵＬ  ＢＷＰ内に完全に含まれる、請求項１１に記載の上りリソース割当方法。
【請求項１５】
基地局から端末に対して設定したａｃｔｉｖｅ  ＵＬ  ＢＷＰは、ｉｎｉｔｉａｌ  ＵＬ  ＢＷＰの全体を含むのではない、請求項１４に記載の上りリソース割当方法。
【請求項１６】
上りリソース割当装置であって、
競合に基づくランダムアクセスＣＢＲＡプロセスにおけるメッセージ３のリソース割当情報を決定する第１決定モジュールを含み、
ここで、前記リソース割当情報は、基地局によって所定規則に基づいて決定されるか、又は基地局によって設定されて端末に通知され、
所定規則に基づいてリソース割当情報が決定される場合、前記基地局と前記端末に用いられる所定規則は、同じである、上りリソース割当装置。
【請求項１７】
上りリソース割当装置であって、
競合に基づくランダムアクセスＣＢＲＡプロセスにおけるメッセージ３のリソース割当情報を決定する第２決定モジュールを含み、
ここで、前記リソース割当情報は、端末によって所定規則に基づいて決定されるか、又は基地局によって設定されて通知され、
所定規則に基づいてリソース割当情報が決定される場合、前記基地局と前記端末に用いられる所定規則は、同じである、上りリソース割当装置。
【国際調査報告】
2021530913.tif 000013
2021530913.tif 000014
2021530913.tif 000015
2021530913.tif 000016
2021530913.tif 000017